(57)【要約】【課題】発光手段の破損を抑制できる遊技機を提供すること。【解決手段】遊技が可能なパチンコ遊技機１であって、発光手段６０７と、発光手段６０７からの光が端面５１１ａから入射されることにより演出表示を行うことが可能な導光板５１１と、発光手段６０７が取付けられる取付部材６０２と、を備え、取付部材６０２は、移動可能に設けられ、発光手段６０７よりも導光板５１１側に突出する突出部６１２Ｌ，６１２Ｒを有し、突出部６１２Ｌ，６１２Ｒは、取付部材６０２が導光板５１１の端面５１１ａと発光手段６０７とが対向する所定位置において導光板５１１の端面５１１ａと対向する。【選択図】図１５
2018201827.tif 000002
【特許請求の範囲】
【請求項１】
遊技が可能な遊技機であって、
発光手段と、
前記発光手段からの光が端面から入射されることにより演出表示を行うことが可能な導光板と、
前記発光手段が取付けられる取付部材と、
を備え、
前記取付部材は、移動可能に設けられ、前記発光手段よりも前記導光板側に突出する突出部を有し、
前記突出部は、前記取付部材が前記導光板の端面と前記発光手段とが対向する所定位置において前記導光板の端面と対向する
ことを特徴とする遊技機。
【発明の詳細な説明】
【技術分野】
【０００１】
本発明は、遊技が可能な遊技機に関する。
【背景技術】
【０００２】
遊技機の一例であるパチンコ遊技機やスロットマシンにおいて、例えば、図柄の変動表示や遊技に関連する演出画像を表示する表示装置とは別個に、発光手段からの光が端面から入射されることにより演出表示を行うことが可能な導光板を備えるものがある。
【０００３】
この種の遊技機として、例えば、遊技盤の背面に設けた導光板の上端面と右側面に沿って発光手段を点灯させながら移動させることで、導光板に表示される図柄を変化させることができるようにしたもの等があった（例えば、特許文献１参照）。
【先行技術文献】
【特許文献】
【０００４】
【特許文献１】特開２０１６−１２３６５４号公報
【発明の概要】
【発明が解決しようとする課題】
【０００５】
上記特許文献１に記載の遊技機では、発光手段が移動するときに生じる振動等により該発光手段が導光板の端面に接触して破損してしまう虞があった。
【０００６】
本発明は、このような問題点に着目してなされたもので、発光手段の破損を抑制できる遊技機を提供することを目的とする。
【課題を解決するための手段】
【０００７】
前記課題を解決するために、本発明の手段１の遊技機は、
遊技が可能な遊技機（例えば、パチンコ遊技機１）であって、
発光手段（例えば、導光板ＬＥＤ６０７）と、
前記発光手段からの光が端面（例えば、上端面５１１ａ）から入射されることにより演出表示を行うことが可能な導光板（例えば、第１導光板５１１）と、
前記発光手段が取付けられる取付部材（例えば、取付部材６０２）と、
を備え、
前記取付部材は、移動可能に設けられ(例えば、取付部材６０２は、第１位置、第２位置、第３位置の間で左右方向に移動可能である。図１３及び図１４参照)、前記発光手段よりも前記導光板側に突出する突出部（例えば、リブ６１２Ｌ（リブ６１２Ｒ）は、導光板ＬＥＤ６０７よりも第１導光板５１１側に突出する突出部として機能している。図１０参照）を有し、
前記突出部は、前記取付部材が前記導光板の端面と前記発光手段とが対向する所定位置において前記導光板の端面と対向する（例えば、導光板ＬＥＤ６０７が第１導光板５１１の上端面５１１ａに対向する所定位置において、リブ６１２Ｌ，６１２Ｒが第１導光板５１１の上端面５１１ａと対向する。図１０〜図１２、図１４参照）。
ことを特徴としている。
この特徴によれば、発光手段が導光板の端面に接触して破損することを防止できる。
【０００８】
本発明の手段２の遊技機は、手段１に記載の遊技機であって、
前記取付部材は、前記導光板の端面に沿って移動可能である（例えば、取付部材６０２が第１導光板５１１の上端面５１１ａに沿って移動する移動範囲において、導光板ＬＥＤ６０７は、常に第１導光板５１１の上端面５１１ａの上方に配置されている。図１３参照）
ことを特徴としている。
この特徴によれば、演出効果を高めることができる。
【０００９】
本発明の手段３の遊技機は、手段１または２に記載の遊技機であって、
前記導光板は、立体演出表示が可能である（例えば、第１導光板５１１の背面には、凹凸状態（粗面）の複数の反射部が設けられており、これら反射部は、前面側の空間上の予め定められた前後左右上下複数の位置に光を収束させるようになっており、光が収束された収束点や収束線の集まりにより空間上に立体像Ｚ１，Ｚ２，Ｚ３が形成されるようになっている。図２０参照）
ことを特徴としている。
この特徴によれば、演出効果を高めることができる。
【００１０】
本発明の手段４の遊技機は、手段１〜３のいずれかに記載の遊技機であって、
前記取付部材が移動中に前記発光手段を複数色にて発光可能である（例えば、導光板ＬＥＤ６０７は、赤（Ｒ）・緑（Ｇ）・青（Ｂ）の発光素子を有し、７色にて発光可能なフルカラーＬＥＤからなり、演出制御用ＣＰＵ１２０は、取付部材６０２を左右方向（第１位置〜第３位置）に移動させながら導光板ＬＥＤ６０７の発光する色を変更する制御を行うことができる。）
ことを特徴としている。
この特徴によれば、演出効果を高めることができる。
【００１１】
本発明の手段５の遊技機は、手段１〜４のいずれかに記載の遊技機であって、
前記取付部材が移動中に前記発光手段を複数輝度にて発光可能である（例えば、導光板ＬＥＤ６０７は、複数の輝度で発光可能に構成されており、演出制御用ＣＰＵ１２０は、取付部材６０２を左右方向（第１位置〜第３位置）に移動させながら導光板ＬＥＤ６０７の発光する輝度も変更する制御を行うことができる。）
ことを特徴としている。
この特徴によれば、演出効果を高めることができる。
【００１２】
本発明の手段６の遊技機は、手段１〜５のいずれかに記載の遊技機であって、
所定条件の成立に応じて遊技者にとって有利な有利状態（例えば、大当り遊技状態）に制御可能であり、
前記取付部材と前記発光手段とは、遊技者から視認困難に設けられ（例えば、取付部材６０２及び導光板ＬＥＤ６０７は、前保持部材５０３の上辺部５０３Ｈの背面側に配設されており、遊技者から視認困難となっている。）、
前記所定位置（例えば、導光板ＬＥＤ６０７が第１導光板５１１の上端面５１１ａに対向する位置）は、第１位置（例えば、第１位置）と該第１位置とは異なる第２位置（例えば、第２位置及び第３位置）を含み、
前記第１位置と前記第２位置のいずれにあるときに前記発光手段が発光するかに応じて有利度が異なる（例えば、取付部材６０２の移動が第１位置で停止した場合（立体像Ｚ１が表示された場合）が最も大当りの期待度が低く、取付部材６０２の移動が第２位置で停止した場合（立体像Ｚ２が表示された場合）が取付部材６０２の移動が第１位置で停止した場合よりも期待度が高く、取付部材６０２の移動が第３位置で停止した場合（立体像Ｚ３が表示された場合）が最も大当りの期待度が高く設定されているため、遊技者に第１位置、第２位置、第３位置のいずれの位置で取付部材６０２が停止するか（立体像Ｚ１，Ｚ２，Ｚ３のいずれが表示されるか）遊技者に興味を持たせることができる。図２０参照）
ことを特徴としている。
この特徴によれば、演出効果を高めることができる。
【００１３】
本発明の手段７の遊技機は、手段１〜６のいずれかに記載の遊技機であって、
前記導光板が取付けられる被取付部（例えば、前保持部材５０３，後保持部材５０５）を備え、
前記被取付部は、前記発光手段に対する前記導光板の位置決め用のボスとして、第１位置決め用ボス（例えば、第１位置決め用ボス５５１）と第２位置決め用ボス（例えば、第２位置決め用ボス５５２）とを含む複数の位置決め用ボスを有し、
前記導光板は、前記第１位置決め用ボスが挿入可能な第１挿入部（例えば、第１孔部５１１Ａ）と、前記第２位置決め用ボスが挿入可能な第２挿入部（例えば、第２孔部５１１Ｂ）とを含む複数の挿入部を有し、
前記第２位置決め用ボスと前記第２挿入部とは、前記導光板を前記被取付部に取付けた状態において、前記第２位置決め用ボスと前記第２挿入部との間に生じる隙間（例えば、隙間Ｓ２）が前記第１位置決め用ボスと前記第１挿入部との間に生じる隙間（例えば、隙間Ｓ１）よりも大きく、前記端面（例えば、上端面５１１ａ）に平行または略平行な特定方向への前記導光板の移動を許容する一方で該特定方向以外の方向への前記導光板の移動を規制するように設けられる（図１９参照）
ことを特徴としている。
この特徴によれば、導光板の熱膨張に対し好適に対応できる。
【００１４】
本発明の手段８の遊技機は、手段１〜７のいずれかに記載の遊技機であって、
前記導光板を取付位置に保持するための保持体（例えば、前保持部材５０３，後保持部材５０５）を備え、
前記保持体は、前記導光板を一面（例えば、前面）側と他面（例えば、背面）側とから挟み込むように前記取付位置に保持可能であり、
前記導光板を前記保持体により保持した状態において、前記導光板と前記保持体との間に隙間（例えば、隙間Ｓ２０）が設けられる（図１０〜図１２、図１８参照）
ことを特徴としている。
この特徴によれば、導光板の熱膨張に対し好適に対応できる。
【００１５】
本発明の手段９の遊技機は、手段１〜８のいずれかに記載の遊技機であって、
前記導光板を取付位置に保持するための保持体（例えば、前保持部材５０３，後保持部材５０５）を備え、
前記保持体は、
前記導光板を一面（例えば、前面）側と他面（例えば、背面）側とから挟み込むように前記取付位置に保持可能であり、
前記導光板を保持した状態において該導光板と対向する位置に凹凸部（例えば、凹凸部５４９）が設けられ、
前記凹凸部は、前記導光板を前記保持体により保持した状態において、前記導光板に形成されたエジャクタピン跡（例えば、エジェクタピン跡６５０）と対向しない位置に配置されている（図２２参照）
ことを特徴としている。
この特徴によれば、導光板の熱膨張に対し好適に対応できる。
【００１６】
本発明の手段１０の遊技機は、手段１〜９のいずれかに記載の遊技機であって、
前記発光手段（例えば、導光板ＬＥＤ５１７）から入射された光を前記導光板に向けて出射する導光部材（例えば、第１集光レンズ５１９）と、
前記導光部材が取付けられる被取付部（例えば、ＬＥＤ基板５１８の背面）と、
を備え、
前記導光部材には、前記被取付部に取付けられた状態において該被取付部に設けられた挿入部（例えば、位置決め孔５９５Ａ）に挿入可能な位置決め用ボス（例えば、集光レンズ位置決め用ボス５９３Ｆ）が突出して設けられている（図２１参照）
ことを特徴としている。
この特徴によれば、位置決め用ボスを挿入部に挿入することで導光部材の取付位置が決定されるため、導光部材を好適に取付けることができる。
【００１７】
尚、本発明は、本発明の請求項に記載された発明特定事項のみを有するものであっても良いし、本発明の請求項に記載された発明特定事項とともに該発明特定事項以外の構成を有するものであっても良い。
【図面の簡単な説明】
【００１８】
【図１】パチンコ遊技機を正面から見た正面図である。
【図２】遊技制御基板（主基板）の回路構成例を示すブロック図である。
【図３】演出ユニットの構成を斜め前から見た状態を示す分解斜視図である。
【図４】演出ユニットの構成を斜め後ろから見た状態を示す分解斜視図である。
【図５】第１導光板装置の構成を斜め前から見た状態を示す分解斜視図である。
【図６】第１導光板装置の構成を斜め後ろから見た状態を示す分解斜視図である。
【図７】発光装置の構成を斜め上方から見た状態を示す分解斜視図である。
【図８】発光装置の構成を斜め下方から見た状態を示す分解斜視図である。
【図９】第１導光板装置を示す正面断面図である。
【図１０】（Ａ）は図９のＡ−Ａ断面図、（Ｂ）は（Ａ）の要部拡大部である。
【図１１】（Ａ）は図９のＢ−Ｂ断面図、（Ｂ）は（Ａ）の要部拡大部である。
【図１２】（Ａ）は図９のＣ−Ｃ断面図、（Ｂ）は（Ａ）の要部拡大部である。
【図１３】（Ａ）は取付部材が第２位置に移動した上面概略図、（Ｂ）は取付部材が第３位置に移動した上面概略図である。
【図１４】（Ａ）は取付部材が第１位置にある状態を示す正面概略図、（Ｂ）は取付部材が第２位置にある状態を示す正面概略図、（Ｃ）は取付部材が第３位置にある状態を示す正面概略図である。
【図１５】（Ａ）は取付部材が第１導光板に対し平行に近接した状態を示す正面概略図、（Ｂ）は取付部材の一端が第１導光板に対し傾いて近接した状態を示す正面概略図である。
【図１６】第１導光板を示す正面図である。
【図１７】第１導光板装置における各位置決め用ボスと各挿入部との配置位置を示す正面図である。
【図１８】（Ａ）は図１７のＤ−Ｄ断面図、（Ｂ）は図１７のＥ−Ｅ断面図である。
【図１９】（Ａ）は第１導光板の通常時、（Ｂ）は第１導光板の熱膨張時の態様を示す正面図である。
【図２０】（Ａ）は第１導光板の第１演出表示状態を示す説明図、（Ｂ）は第１導光板の第２演出表示状態を示す説明図、（Ｃ）は第１導光板の第３演出表示状態を示す正面概略図である。
【図２１】変形例において前保持部材に集光レンズ及び第１導光板を取付ける状態を示す要部拡大斜視図である。
【図２２】（Ａ）は変形例において前保持部材の左側辺部の上部を示す背面図、（Ｂ）は凹凸部と第１導光板との間に生じる隙間を示す断面図である。
【図２３】本発明の変形例２としての導光板装置を示す図であって、（Ａ）は前側の導光板を示す正面図、（Ｂ）は後側の導光板を示す正面図、（Ｃ）（Ｄ）は導光板が前後に重畳して配置された状態を示す説明図である。
【発明を実施するための形態】
【００１９】
本発明に係る遊技機を実施するための形態を実施例に基づいて以下に説明する。
【実施例】
【００２０】
まず、遊技機の一例であるパチンコ遊技機１の全体の構成について説明する。図１は、パチンコ遊技機を正面から見た正面図である。図２は、主基板における回路構成の一例を示すブロック図である。尚、以下において、図１の手前側をパチンコ遊技機１の前方（前面、正面）側、奥側を背面（後方）側とし、パチンコ遊技機１を前面側から見たときの上下左右方向を基準として説明する。尚、本実施例におけるパチンコ遊技機１の前面とは、該パチンコ遊技機１にて遊技を行う遊技者と対向する対向面である。
【００２１】
図１は、本実施例におけるパチンコ遊技機の正面図であり、主要部材の配置レイアウトを示す。パチンコ遊技機（以下、遊技機と略記する場合がある）１は、大別して、遊技盤面を構成する遊技盤（ゲージ盤）２と、遊技盤２を支持固定する遊技機用枠（台枠）３とから構成されている。遊技盤２には、ガイドレール２ｂによって囲まれた正面視略円形状の遊技領域１０が形成されている。この遊技領域１０には、遊技媒体としての遊技球が打球発射装置（図示略）から発射されて打ち込まれる。また、遊技機用枠３には、ガラス窓５０ａを有するガラス扉枠５０が左側辺を中心として回動可能に設けられ、該ガラス扉枠５０により遊技領域１０を開閉できるようになっており、ガラス扉枠５０を閉鎖したときにガラス窓５０ａを通して遊技領域１０を透視できるようになっている。
【００２２】
図１に示すように、遊技盤２は、アクリル樹脂、ポリカーボネート樹脂、メタクリル樹脂等の透光性を有する合成樹脂材にて正面から見て略四角形状に形成され、前面である遊技盤面に障害釘（図示略）やガイドレール２ｂ等が設けられた盤面板（図示略）と、該盤面板の背面側に一体的に取付けられるスペーサ部材（図示略）と、から主に構成されている。尚、遊技盤２はベニヤ板にて構成されていてもよい。
【００２３】
遊技盤２の所定位置（図１に示す例では、遊技領域１０の右側下部位置）には、第１特別図柄表示器４Ａと、第２特別図柄表示器４Ｂとが設けられている。第１特別図柄表示器４Ａと第２特別図柄表示器４Ｂはそれぞれ、例えば７セグメントやドットマトリクスのＬＥＤ（発光ダイオード）等から構成され、変動表示ゲームの一例となる特図ゲームにおいて、各々を識別可能な複数種類の識別情報（特別識別情報）である特別図柄（「特図」ともいう）が、変動可能に表示（変動表示または可変表示ともいう）される。以下では、第１特別図柄表示器４Ａにおいて変動表示される特別図柄を「第１特図」ともいい、第２特別図柄表示器４Ｂにおいて変動表示される特別図柄を「第２特図」ともいう。
【００２４】
遊技盤２における遊技領域１０の中央付近には、演出表示装置５が設けられている。演出表示装置５は、例えばＬＣＤ（液晶表示装置）等から構成され、各種の演出画像を表示する表示領域を形成している。演出表示装置５の表示領域では、特図ゲームにおける第１特別図柄表示器４Ａによる第１特図の変動表示や第２特別図柄表示器４Ｂによる第２特図の変動表示のそれぞれに対応して、例えば３つといった複数の変動表示部となる演出図柄表示エリアにて、各々を識別可能な複数種類の識別情報（装飾識別情報）である演出図柄が変動表示される。この演出図柄の変動表示も、変動表示ゲームに含まれる。
【００２５】
このように、演出表示装置５の表示領域では、第１特別図柄表示器４Ａにおける第１特図を用いた特図ゲーム、または、第２特別図柄表示器４Ｂにおける第２特図を用いた特図ゲームと同期して、各々が識別可能な複数種類の演出図柄の変動表示を行い、変動表示結果となる確定演出図柄（最終停止図柄）を導出表示する。
【００２６】
演出表示装置５は、遊技盤２よりも背面側に配設され、該遊技盤２に形成された開口２ｃを通して視認できるようになっている。尚、遊技盤２における開口２ｃには枠状のセンター飾り枠５１が設けられている。遊技盤２の背面と演出表示装置５との間には、後述する演出ユニット３００が設けられている。また、演出ユニット３００における後述する可動体装置４００及び第２導光板装置４１０と遊技盤２の背面との間には後述する第１導光板装置５００が設けられており、遊技盤２における開口２ｃから後述する第１導光板５１１、第２導光板５２１を透して可動体装置４００の上部可動体４０２Ｌ，４０２Ｒ及び下部可動体４０３Ｌ，４０３Ｒ及び演出表示装置５の表示画面を視認できるようになっている。
【００２７】
演出表示装置５の表示領域の下部の左右２箇所には、第１保留記憶表示エリア５Ｄ、第２保留記憶表示エリア５Ｕが設定されている。第１保留記憶表示エリア５Ｄ、第２保留記憶表示エリア５Ｕでは、特図ゲームに対応した変動表示の保留記憶数（特図保留記憶数）を特定可能に表示する保留記憶表示が行われる。
【００２８】
ここで、特図ゲームに対応した変動表示の保留は、普通入賞球装置６Ａが形成する第１始動入賞口や、普通可変入賞球装置６Ｂが形成する第２始動入賞口を、遊技球が通過（進入）することによる始動入賞に基づいて発生する。すなわち、特図ゲームや演出図柄の変動表示といった変動表示ゲームを実行するための始動条件（「実行条件」ともいう）は成立したが、先に成立した開始条件に基づく変動表示ゲームが実行中であることやパチンコ遊技機１が大当り遊技状態に制御されていることなどにより、変動表示ゲームの開始を許容する開始条件が成立していないときに、成立した始動条件に対応する変動表示の保留が行われる。
【００２９】
第１特別図柄表示器４Ａ及び第２特別図柄表示器４Ｂの右方位置には、特図保留記憶数を特定可能に表示するための第１保留表示器２５Ａと第２保留表示器２５Ｂとが設けられている。第１保留表示器２５Ａは、第１特図保留記憶数を特定可能に表示し、第２保留表示器２５Ｂは、第２特図保留記憶数を特定可能に表示する。
【００３０】
演出表示装置５の下方には、普通入賞球装置６Ａが設けられ、演出表示装置５の右側下方には、普通可変入賞球装置６Ｂが設けられている。普通入賞球装置６Ａは、例えば所定の球受部材によって常に一定の開放状態に保たれる始動領域（第１始動領域）としての第１始動入賞口を形成する。普通可変入賞球装置６Ｂは、図２に示す普通電動役物用となるソレノイド８１によって、遊技領域１０に突出する突出位置となる閉鎖状態と遊技領域１０から退避する退避位置となる開放状態とに変化する可動板を有する普通電動役物を備え、始動領域（第２始動領域）としての第２始動入賞口を形成する。
【００３１】
第１始動入賞口を通過（進入）した遊技球が第１始動口スイッチ２２Ａによって検出されたことに基づき、所定個数（例えば３個）の遊技球が賞球として払い出され、第１特図保留記憶数が所定の上限値（例えば「４」）以下であれば、第１始動条件が成立する。また、第２始動入賞口を通過（進入）した遊技球が第２始動口スイッチ２２Ｂによって検出されたことに基づき、所定個数（例えば３個）の遊技球が賞球として払い出され、第２特図保留記憶数が所定の上限値（例えば「４」）以下であれば、第２始動条件が成立する。
【００３２】
図１に示すように、普通入賞球装置６Ａの右方位置には、特別可変入賞球装置７が設けられている。特別可変入賞球装置７は、図２に示す大入賞口扉用となるソレノイド８２によって開閉駆動される大入賞口扉によって開放状態と閉鎖状態とに変化する特定領域としての大入賞口を形成する。このように、特定領域としての大入賞口は、遊技球が通過（進入）しやすく遊技者にとって有利な開放状態と、遊技球が通過（進入）できない（または通過（進入）しにくい）遊技者にとって不利な閉鎖状態とに変化する。
【００３３】
大入賞口を通過（進入）した遊技球が図２に示すカウントスイッチ２３によって検出されたことに基づき、所定個数（例えば１５個）の遊技球が賞球として払い出される。したがって、特別可変入賞球装置７において大入賞口が開放状態となれば、その大入賞口に遊技球が進入可能となり、遊技者にとって有利な第１の状態となる。その一方で、特別可変入賞球装置７において大入賞口が閉鎖状態となれば、大入賞口に遊技球を通過（進入）させて賞球を得ることが不可能または困難になり、遊技者にとって不利な第２の状態となる。
【００３４】
第２保留表示器２５Ｂの右方位置には、普通図柄表示器２０が設けられている。普通図柄表示器２０の右方には、普図保留表示器２５Ｃが設けられている。普図保留表示器２５Ｃは、例えば４個のＬＥＤを含んで構成され、通過ゲート４１を通過した有効通過球数としての普図保留記憶数を表示する。
【００３５】
遊技盤２の表面には、上記の構成以外にも、遊技球の流下方向や速度を変化させる風車及び多数の障害釘が設けられている。また、遊技領域１０の最下方には、いずれの入賞口にも進入しなかった遊技球が取り込まれるアウト口が設けられている。遊技機用枠３の左右上部位置には、効果音等を再生出力するためのスピーカ８Ｌ，８Ｒが設けられており、更に遊技領域１０の周辺部には、演出用ＬＥＤ９が設けられている。遊技機用枠３の右下部位置には、遊技媒体としての遊技球を遊技領域１０に向けて発射するために遊技者等によって操作される打球操作ハンドル（操作ノブ）が設けられている。
【００３６】
遊技領域１０の下方における遊技機用枠３の所定位置には、賞球として払い出された遊技球や所定の球貸機により貸し出された遊技球を、発射装置（図示略）へと供給可能に保持（貯留）する上皿９０（打球供給皿）が設けられている。遊技機用枠３の下部には、上皿９０から溢れた余剰球などを、パチンコ遊技機１の外部へと排出可能に保持（貯留）する下皿９１が設けられている。下皿９１を形成する部材に取付けられたスティックコントローラ３１Ａの傾倒操作はコントローラセンサユニット３５Ａにて検出され、上皿９０を形成する部材に設けられたプッシュボタン３１Ｂに対してなされた押下動作はプッシュセンサ３５Ｂにて検出される。
【００３７】
次に、パチンコ遊技機１の回路構成について説明する。パチンコ遊技機１には、例えば図２に示すような主基板１１、演出制御基板１２、音声制御基板１３、ＬＥＤ制御基板１４、主基板１１と演出制御基板１２との間で伝送される各種の制御信号を中継するための中継基板１５、払出制御基板、情報端子基板、発射制御基板、インタフェース基板などといった、各種の基板が配置されている。
【００３８】
主基板１１は、メイン側の制御基板であり、パチンコ遊技機１における遊技の進行を制御するための各種回路が搭載されている。主基板１１は、主として、特図ゲームにおいて用いる乱数の設定機能、所定位置に配設されたスイッチ等からの信号の入力を行う機能、演出制御基板１２などからなるサブ側の制御基板に宛てて、指令情報の一例となる制御コマンドを制御信号として出力して送信する機能、ホールの管理コンピュータに対して各種情報を出力する機能などを備えている。また、主基板１１は、第１特別図柄表示器４Ａと第２特別図柄表示器４Ｂを構成する各ＬＥＤ（例えばセグメントＬＥＤ）などの点灯／消灯制御を行って第１特図や第２特図の変動表示を制御することや、普通図柄表示器２０の点灯／消灯／発色制御などを行って普通図柄表示器２０による普通図柄の変動表示を制御することといった、所定の表示図柄の変動表示を制御する機能も備えている。また、主基板１１には、例えば遊技制御用マイクロコンピュータ１００や、スイッチ回路１１０、ソレノイド回路１１１などが搭載されている。
【００３９】
図２に示すように、主基板１１には、通過ゲート４１を通過した遊技球を検出するゲートスイッチ２１、第１始動口スイッチ２２Ａ、第２始動口スイッチ２２Ｂ、カウントスイッチ２３からの検出信号を伝送する配線が接続されている。また、第１特別図柄表示器４Ａ、第２特別図柄表示器４Ｂ、普通図柄表示器２０、第１保留表示器２５Ａ、第２保留表示器２５Ｂ、普図保留表示器２５Ｃなどの表示制御を行うための指令信号を伝送する配線が接続されている。
【００４０】
主基板１１から演出制御基板１２に向けて伝送される制御信号は、例えば電気信号として送受信される演出制御コマンドである。演出制御コマンドには、例えば、演出図柄の変動時間及びリーチ演出の種類や擬似連の有無等の変動態様を示す変動パターンを示す変動パターン指定コマンド等が含まれている。
【００４１】
主基板１１に搭載された遊技制御用マイクロコンピュータ１００は、例えば１チップのマイクロコンピュータであり、遊技制御用のプログラムや固定データ等を記憶するＲＯＭ１０１（ReadOnlyMemory１０１）と、遊技制御用のワークエリアを提供するＲＡＭ１０２（RandomAccessMemory１０２）と、遊技制御用のプログラムを実行して制御動作を行うＣＰＵ１０３（CentralProcessingUnit１０３）と、ＣＰＵ１０３とは独立して乱数値を示す数値データの更新を行う乱数回路１０４と、Ｉ／Ｏ１０５（Input/Outputport１０５）と、を備えて構成される。一例として、遊技制御用マイクロコンピュータ１００では、ＣＰＵ１０３がＲＯＭ１０１から読み出したプログラムを実行することにより、パチンコ遊技機１における遊技の進行を制御するための処理が実行される。
【００４２】
図２に示すように、演出制御基板１２は、主基板１１とは独立したサブ側の制御基板であり、中継基板１５を介して主基板１１から伝送された制御信号を受信して、演出表示装置５、スピーカ８Ｌ，８Ｒ、演出用ＬＥＤ９、導光板ＬＥＤ６０７、駆動モータ６０３Ａ、原点位置センサ５１６といった演出用の電気部品による演出動作を制御するための各種回路や、スティックコントローラ３１Ａ、プッシュボタン３１Ｂといった電気部品の動作を検出するための各種回路が搭載されている。
【００４３】
演出制御基板１２には、プログラムに従って制御動作を行う演出制御用ＣＰＵ１２０と、演出制御用のプログラムや固定データ等を記憶するＲＯＭ１２１と、演出制御用ＣＰＵ１２０のワークエリアを提供するＲＡＭ１２２と、演出表示装置５における表示動作の制御内容を決定するための処理などを実行する表示制御部１２３と、演出制御用ＣＰＵ１２０とは独立して乱数値を示す数値データの更新を行う乱数回路１２４と、Ｉ／Ｏ１２５とが搭載されている。一例として、演出制御基板１２では、演出制御用ＣＰＵ１２０がＲＯＭ１２１から読み出した演出制御用のプログラムを実行することにより、演出用の電気部品による演出動作を制御するための処理が実行される。また、ＲＯＭ１２１には、演出制御用のプログラムの他にも、演出動作を制御するために用いられる各種のデータテーブルなどが格納されている。
【００４４】
次に、パチンコ遊技機１における遊技の進行を概略的に説明する。パチンコ遊技機１では、遊技領域１０に設けられた通過ゲート４１を遊技球が通過したことに基づいて、普通図柄表示器２０による普図ゲームが開始される。普通図柄の変動を開始させた後、普図変動時間となる所定時間が経過し、普図当り図柄以外の普通図柄が停止表示されれば、普通図柄の変動表示結果が「普図はずれ」となる。特定の普通図柄（普図当り図柄）が停止表示されれば、普通図柄の変動表示結果が「普図当り」となり、普通可変入賞球装置６Ｂの可動板が遊技領域１０から退避する開放制御が行われ、所定時間が経過すると遊技領域１０に突出する閉鎖位置に戻る通常開放制御が行われる。
【００４５】
遊技球が第１始動入賞口に入賞したことなどにより第１始動条件が成立した後に、例えば前回の特図ゲームや大当り遊技状態が終了したことなどにより第１開始条件が成立したことに基づいて、第１特別図柄表示器４Ａによる特図ゲームが開始される。また、遊技球が第２始動入賞口に入賞したことなどにより第２始動条件が成立した後に、例えば前回の特図ゲームや大当り遊技状態が終了したことなどにより第２開始条件が成立したことに基づいて、第２特別図柄表示器４Ｂによる特図ゲームが開始される。
【００４６】
特図ゲームでは、特別図柄の変動表示を開始させた後、変動表示時間が経過すると確定特別図柄（特図表示結果）を導出表示する。このとき、特定の特別図柄（大当り図柄）が停止表示されれば、特定表示結果としての「大当り」となり、大当り図柄とは異なる特別図柄が停止表示されれば「はずれ」となる。特図ゲームでの変動表示結果が「大当り」になった後には、遊技者にとって有利なラウンド（「ラウンド遊技」ともいう）を所定回数実行する特定遊技状態としての大当り遊技状態に制御される。
【００４７】
大当り遊技状態においては、特別可変入賞球装置７の大入賞口扉が、所定の上限時間（例えば２９秒間や０．１秒間）が経過するまでの期間あるいは所定個数（例えば９個）の入賞球が発生するまでの期間にて、大入賞口を開放状態とする。これにより、特別可変入賞球装置７を遊技者にとって有利な第１の状態（開放状態）とするラウンドが実行される。
【００４８】
ラウンドの実行中に大入賞口を開放状態とした大入賞口扉は、遊技盤２の表面を落下する遊技球を受け止め、その後に大入賞口を閉鎖状態とすることにより、特別可変入賞球装置７を遊技者にとって不利な第２の状態（閉鎖状態）に変化させて、１回のラウンドを終了させる。大入賞口の開放サイクルであるラウンドは、その実行回数が所定の上限回数（例えば「１６」など）に達するまで、繰り返し実行可能となっている。
【００４９】
演出表示装置５の演出図柄表示エリア５Ｌ，５Ｃ，５Ｒでは、特図ゲームが開始されることに対応して、演出図柄の変動表示が開始される。そして、演出図柄の変動表示が開始されてから変動表示が終了するまでの期間では、演出図柄の変動表示状態が所定のリーチ状態となることがある。リーチ状態とは、演出表示装置５の表示領域にて停止表示された演出図柄が大当り組合せの一部を構成しているときに未だ停止表示されていない演出図柄については変動が継続している表示状態、あるいは、全部または一部の演出図柄が大当り組合せの全部または一部を構成しながら同期して変動している表示状態のことである。
【００５０】
特図ゲームにおける確定特別図柄として、複数種類の大当り組合せのうち、所定の通常大当り組合せ（「非確変大当り組合せ」ともいう）となる確定演出図柄が停止表示され、変動表示結果が「非確変大当り」となった場合は大当り状態に制御され、その終了後には、時間短縮制御（時短制御）が行われる。時短制御が行われることにより、特図ゲームにおける特別図柄の変動表示時間（特図変動時間）は、通常状態に比べて短縮される。尚、時短制御では、普通図柄の当選頻度が高められて、普通可変入賞球装置６Ｂへの入賞頻度が高められる、いわゆる電チューサポートが実施される。時短制御は、大当り遊技状態の終了後に所定回数（例えば１００回）の特図ゲームが実行されることと、変動表示結果が「大当り」となることのうち、いずれかの条件が先に成立したときに、終了すればよい。
【００５１】
特図ゲームにおける確定特別図柄として、複数種類の大当り組合せのうち、所定の確変大当り組合せ（「確変大当り組合せ」ともいう）となる確定演出図柄が停止表示され、変動表示結果が「確変大当り」となった場合は大当り状態に制御され、その終了後には、時短制御とともに確率変動制御（確変制御）が行われる。この確変制御が行われることにより、各回の特図ゲームにおいて変動表示結果が「大当り」となる確率は、通常状態に比べて高くなるように向上する。確変制御は、大当り遊技状態の終了後に変動表示結果が「大当り」となって再び大当り遊技状態に制御されるという条件が成立したとき、大当り遊技状態の終了後に所定回数（例えば時短回数と同じ１００回）の特図ゲームが実行されたとき、大当り遊技状態の終了後に特図ゲームが開始されるごとに実行される確変転落抽選にて確変制御を終了させる「確変転落あり」の決定がなされたとき、などに終了すればよい。
【００５２】
時短制御が行われるときには、普図ゲームにおける普通図柄の変動時間（普図変動時間）を通常状態のときよりも短くする制御や、各回の普図ゲームで普通図柄の変動表示結果が「普図当り」となる確率を通常状態のときよりも向上させる制御、変動表示結果が「普図当り」となったことに基づく普通可変入賞球装置６Ｂにおける可動板の移動制御を行う移動制御時間を通常状態のときよりも長くする制御、その移動回数を通常状態のときよりも増加させる制御といった、遊技球が第２始動入賞口を通過（進入）しやすくして第２始動条件が成立する可能性を高めることで遊技者にとって有利となる制御（電チューサポート制御、高開放制御）が行われる。これにより、第２特図を用いた特図ゲームを実行するための第２始動条件が成立しやすくなり、特図ゲームが頻繁に実行可能となることで、次に変動表示結果が「大当り」となるまでの時間が短縮される。
【００５３】
次に、本実施例におけるパチンコ遊技機１の動作（作用）を説明する。主基板１１では、所定の電源基板からの電力供給が開始されると、遊技制御用マイクロコンピュータ１００が起動し、ＣＰＵ１０３によって遊技制御メイン処理となる所定の処理が実行される。遊技制御メイン処理において遊技制御用タイマ割込み処理を開始すると、スイッチ処理、メイン側エラー処理、情報出力処理、遊技用乱数更新処理、特別図柄プロセス処理、普通図柄プロセス処理、コマンド制御処理を実行する。
【００５４】
特別図柄プロセス処理では、遊技制御フラグ設定部（図示略）に設けられた特図プロセスフラグの値をパチンコ遊技機１における遊技の進行状況に応じて更新し、第１特別図柄表示器４Ａや第２特別図柄表示器４Ｂにおける表示動作の制御や、特別可変入賞球装置７における大入賞口の開閉動作設定などを、所定の手順で行うために各種の処理が選択されて実行される。
【００５５】
特別図柄プロセス処理において、ＣＰＵ１０３は、まず、第１始動入賞や第２始動入賞があったか否かを判定し、入賞があった場合には、特図表示結果判定用、大当り種別判定用、変動パターン判定用などの乱数値をそれぞれ抽出して、第１特図保留記憶部や第２特図保留記憶部における空きエントリの最上位に格納（記憶）する始動入賞処理を実行する。
【００５６】
また、ＣＰＵ１０３は、第１特図保留記憶部や第２特図保留記憶部に記憶されている保留データの有無などに基づいて特図ゲームを開始するか否かの判定や、特図表示結果判定用の乱数値を示す数値データに基づき、特別図柄や演出図柄の変動表示結果を「大当り」とするか否かを、その変動表示結果が導出表示される前に決定（事前決定）する特別図柄通常処理を実行する。つまり、ＣＰＵ１０３は、特図ゲームの変動表示を開始するときに、始動入賞が発生したときに記憶した乱数値に基づいて、当該変動表示の表示結果として大当り表示結果を導出表示するか否かを決定（抽選）する処理を実行する。
【００５７】
次いで、変動パターンを複数種類のいずれかに決定する変動パターン設定処理、特別図柄を変動させるための設定や特別図柄が変動を開始してからの経過時間を計測する処理を行う特別図柄変動処理、特別図柄の変動を停止させて確定特別図柄を停止表示（導出）させるための設定を行う特別図柄停止処理を行う。また、変動表示結果が「大当り」となった場合は、大当り遊技状態において大入賞口を開閉させる処理を行う大当り開放前処理、大当り開放中処理、大当り開放後処理、大当り終了処理を行う。
【００５８】
次に、演出制御基板１２の動作を説明する。先ず、演出制御用ＣＰＵ１２０は、電源が投入されると、メイン処理の実行を開始する。メイン処理においてタイマ割込が発生すると、コマンド解析処理、演出制御プロセス処理、演出用乱数更新処理を実行する。
【００５９】
演出制御プロセス処理では、演出表示装置５の第１保留記憶表示エリア５Ｄ及び第２保留記憶表示エリア５Ｕでの保留記憶表示を、保留記憶バッファの記憶内容に応じた表示に更新する保留表示更新処理を実行する。次いで、演出制御プロセスフラグの値に応じて、遊技制御用マイクロコンピュータ１００から変動パターン指定コマンドを受信しているか否か確認する変動パターン指定コマンド受信待ち処理、演出図柄の変動が開始されるように制御する演出図柄変動開始処理、演出図柄変動開始処理にてセットされたプロセスデータに応じて変動パターンを構成する各変動状態（変動速度）の切替タイミング等の制御や変動時間の終了を監視するとともに、演出表示装置５の表示制御、スピーカ８Ｌ，８Ｒからの音出力、演出用ＬＥＤ９、導光板ＬＥＤ６０７の発光及び駆動モータ６０３Ａの駆動制御等を行う演出図柄変動中処理、演出図柄の変動を停止し表示結果（停止図柄）を導出表示する制御を行う演出図柄変動停止処理を行う。
【００６０】
大当り表示処理においては、変動時間の終了後、演出表示装置５に大当りの発生を報知するための画面を表示する制御を行う。大当り遊技中処理においては、大当り遊技中の制御を行う。大当り終了演出処理においては、演出表示装置５において、大当り遊技状態が終了したことを遊技者に報知する表示制御を行う。
【００６１】
このように演出制御用ＣＰＵ１２０は、遊技制御用マイクロコンピュータ１００から送信された演出制御コマンド（制御情報）に基づいて、演出図柄の変動表示制御や予告演出といった遊技に関連する各種演出を実行可能とされている。
【００６２】
尚、演出制御用ＣＰＵ１２０が演出図柄の変動表示中において実行する予告演出としては、例えば、大当りの可能性を示唆する大当り予告演出や、リーチになるか否かを示唆するリーチ予告、停止図柄を予告する停止図柄予告、遊技状態が確率変動状態であるか否か（潜伏しているか否か）を予告する潜伏予告といったように、変動表示開始時やリーチ成立時において実行される複数の予告を含む。
【００６３】
また、本実施例では、上記予告を含む各種演出として、後述するように、可動体装置４００の上部可動体４０２Ｌ，４０２Ｒ及び下部可動体４０３Ｌ，４０３Ｒによる可動体演出や、第２導光板装置４１０を用いた発光演出や、第１導光板装置５００を用いた発光演出（演出表示）や、演出ユニット３００（可動体装置４００、第２導光板装置４１０、第１導光板装置５００）、スピーカ８Ｌ，８Ｒ、及び演出用ＬＥＤ９による複合演出を実行可能とされている。尚、これら各種演出は、例えば、変動表示中における所定タイミングや、遊技者がスティックコントローラ３１Ａまたはプッシュボタン３１Ｂを操作したタイミングで実行される。
【００６４】
次に、演出ユニット３００について、図３及び図４に基づいて説明する。図３は、演出ユニットの構成を斜め前から見た状態を示す分解斜視図である。図４は、演出ユニットの構成を斜め後ろから見た状態を示す分解斜視図である。
【００６５】
図３及び図４に示すように、演出ユニット３００は、演出表示装置５の前面側に配設される可動体装置４００と、可動体装置４００の前面側に配設される第２導光板装置４１０と、第２導光板装置４１０の前面側に配設される第１導光板装置５００と、から主に構成される。可動体装置４００は、枠状のベース部４０１と、ベース部４０１の上部に対し移動可能に設けられた上部可動体４０２Ｌ，４０２Ｒと、ベース部４０１の下部に対し移動可能に設けられた下部可動体４０３Ｌ，４０３Ｒとを有し、上部可動体４０２Ｌ，４０２Ｒ及び下部可動体４０３Ｌ，４０３Ｒは、遊技者から視認困難な待機位置と、演出表示装置５の表示画面の前側略中央位置に重畳する演出位置と、の間で上下方向に移動可能とされている。
【００６６】
第２導光板装置４１０は、枠状のベース部４１１と、ベース部４１１の内側に固定される環状の第２導光板４１２と、第２導光板４１２に光を照射するＬＥＤ（図示略）と、を有し、ＬＥＤのＯＮ／ＯＦＦを切換えることで、第２導光板４１２が発光する発光演出状態と、第２導光板４１２が発光しない非発光演出状態と、に切換えることができる。尚、可動体装置４００のベース部４０１と、第２導光板装置４１０のベース部４１１とは、複数のネジにより固定されている。
【００６７】
次に、第１導光板装置５００について、図３〜図１９に基づいて説明する。図５は、第１導光板装置の構成を斜め前から見た状態を示す分解斜視図である。図６は、第１導光板装置の構成を斜め後ろから見た状態を示す分解斜視図である。図７は、発光装置の構成を斜め上方から見た状態を示す分解斜視図である。図８は、発光装置の構成を斜め下方から見た状態を示す分解斜視図である。図９は、第１導光板装置を示す正面断面図である。図１０は、（Ａ）は図９のＡ−Ａ断面図、（Ｂ）は（Ａ）の要部拡大部である。図１１は、（Ａ）は図９のＢ−Ｂ断面図、（Ｂ）は（Ａ）の要部拡大部である。図１２は、（Ａ）は図９のＣ−Ｃ断面図、（Ｂ）は（Ａ）の要部拡大部である。図１３は、（Ａ）は取付部材が第２位置に移動した上面概略図、（Ｂ）は取付部材が第３位置に移動した上面概略図である。図１４は、（Ａ）は取付部材が第１位置にある状態を示す正面概略図、（Ｂ）は取付部材が第２位置にある状態を示す正面概略図、（Ｃ）は取付部材が第３位置にある状態を示す正面概略図である。図１５は、（Ａ）は取付部材が第１導光板に対し平行に近接した状態を示す正面概略図、（Ｂ）は取付部材の一端が第１導光板に対し傾いて近接した状態を示す正面概略図である。図１６は、第１導光板を示す正面図である。図１７は、第１導光板装置における各位置決め用ボスと各挿入部との配置位置を示す正面図である。図１８は、（Ａ）は図１７のＤ−Ｄ断面図、（Ｂ）は図１７のＥ−Ｅ断面図である。図１９は、（Ａ）は第１導光板の通常時、（Ｂ）は第１導光板の熱膨張時の態様を示す正面図である。
【００６８】
図３〜図６に示すように、第１導光板装置５００は、第１導光板５１１と、第１導光板５１１を前後から挟むように保持する前保持部材５０３及び後保持部材５０５と、発光装置６００と、から主に構成される。
【００６９】
図５及び図６に示すように、前保持部材５０３は、透光性を有する（透明な）アクリル樹脂により、板状の上辺部５０３Ｈ及び左右の側辺部５０３Ｌ，５０３Ｒにより下向き略コ字形に形成されている。上辺部５０３Ｈは、所定の色で着色されており、透光性が低下している。尚、上辺部５０３Ｈは、スモークフィルム等が貼着されることにより透光性が低下されていてもよいし、非透光性部材により構成され透光性を有さなくてもよい。
【００７０】
上辺部５０３Ｈの背面左右側には、第１導光板５１１を前保持部材５０３に対する取付位置に保持する際の位置決め用の第１位置決め用ボス５５１（上辺部５０３Ｈの背面右側）と第２位置決め用ボス５５２（上辺部５０３Ｈの背面左側）とがそれぞれ突設されている。また、右の側辺部５０３Ｒの背面下位置には、第１導光板５１１を前保持部材５０３に対する取付位置に保持する際の位置決め用の第３位置決め用ボス５４２が突設されている。また、上辺部５０３Ｈ及び側辺部５０３Ｌ，５０３Ｒの各々の背面には、後保持部材５０５を取付けるための複数の保持枠用ボス５４５が突設されている。この前保持部材５０３は、図示しないネジにより遊技盤２のスペーサ部材の背面に取付けることで、遊技盤２の背面側に取付けられる。尚、左右の側辺部５０３Ｌ，５０３Ｒの前面下部には、装飾部材５０８Ｌ，５０８Ｒがそれぞれ固定されている。
【００７１】
第１導光板５１１は、透明なアクリル樹脂板により、背面に位置する演出表示装置５の表示画面のほぼ全域を被覆可能な大きさに形成されており、第１位置決め用ボス５５１を挿通可能な第１孔部５１１Ａと、第２位置決め用ボス５５２を挿通可能な第２孔部５１１Ｂと、第３位置決め用ボス５４２が挿通可能な第３孔部５１１Ｃと、を備える。尚、第１孔部５１１Ａ、第２孔部５１１Ｂ、及び第３孔部５１１Ｃの詳しい構成については後に詳述する。
【００７２】
後保持部材５０５は、非透光性を有する（不透明な）合成樹脂により、板状の上辺部５０５Ｈ及び左右の側辺部５０５Ｌ，５０５Ｒにより下向き略コ字形に形成されている。上辺部５０５Ｈの前面には、前保持部材５０３の第１位置決め用ボス５５１が嵌合する第１位置決め孔５８０と、第２位置決め用ボス５５２が嵌合する第２位置決め孔５８３と、が設けられている。また、右の側辺部５０５Ｒの前面下位置には、第３位置決め用ボス５４２が嵌合する第３位置決め孔（図示略）が設けられている。尚、上辺部５０３Ｈ及び側辺部５０５Ｌ，５０５Ｒの各々の背面には、前保持部材５０３の保持枠用ボス５４５が嵌合する保持枠用孔部５４６が設けられている。また、上辺部５０５Ｈの上部には、発光装置６００が取付けられている。
【００７３】
次に、図７及び図８に基づいて発光装置６００の構造について説明する。図７及び図８に示すように、発光装置６００は、ベース部材６０１と、取付部材６０２と、駆動機構６０３と、上部カバー部材６０４と、下部カバー部材６０５と、導光板ＬＥＤ６０７と、を主に備えている。
【００７４】
ベース部材６０１は、左右方向に延設されており、長手方向（左右方向）に沿って延びるガイド溝６０１ａが該ベース部材６０１の右後側に上下方向に貫通して形成されている。また、ベース部材６０１には、ガイド溝６０１ａの前方に左右方向に延びるシャフト６０６が配設されており、シャフト６０６には左右に離間してリニアブッシュ６０６Ａ，６０６Ｂが該シャフト６０６に沿って移動可能に取付けられている。また、ベース部材６０１の下面におけるシャフト６０６よりも左側には、取付部材６０２の移動を案内する案内軸６０１ｂが下方に突設されている。
【００７５】
取付部材６０２は、上取付部材６０２Ａと下取付部材６０２Ｂとを備えている。上取付部材６０２Ａは、リニアブッシュ６０６Ａ，６０６Ｂの上半分に嵌合可能な凹部６１０ａ，６１０ｂを有する嵌合部６１０と、嵌合部６１０から前方に張り出す膨出部６１１と、を備えている。嵌合部６１０の後方側下面には、ベース部材６０１のガイド溝６０１ａに挿通される案内軸６１０ｃが下方に突設されている。
【００７６】
図８の拡大部及び図９に示すように、膨出部６１１は、前壁部６１１ａ、後壁部６１１ｂ、左右の側壁部６１１ｃ，６１１ｄ、及び上壁部６１１ｅを備えている。上壁部６１１ｅの中央部には、上下方向に貫通する貫通孔６１１ｆが設けられており、上壁部６１１ｅの下面には、導光板ＬＥＤ６０７を有するＬＥＤ基板６０９がスペーサ部材６２０を介してネジＮにより取付けられている。尚、スペーサ部材６２０は、貫通孔６１１ｆに挿通される凸部６２０ａを備えており、これにより膨出部６１１とスペーサ部材６２０との位置合わせがされる。また、側壁部６１１ｃ，６１１ｄの下端には、前後方向に延設され下方に突出するリブ６１２Ｌ，６１２Ｒが設けられている。
【００７７】
また、ＬＥＤ基板６０９の前辺における導光板ＬＥＤ６０７に対応する部分には前側に突出する突出部６０９Ａが形成されており、これにより導光板ＬＥＤ６０７を極力前側に配置できるようになっている。また、前壁部６１１ａの下端辺における突出部６０９Ａ（導光板ＬＥＤ６０７）に対応する位置には、切欠部６１１ｇが形成されており、ＬＥＤ基板６０９の一部である突出部６０９Ａが収容されている。
【００７８】
具体的には、導光板ＬＥＤ６０７やＬＥＤ基板６０９を遊技者側から見えないようにするためにこれらの前方を遮るように非透過性の前壁部６１１ａが設けられているが、膨出部６１１の前側に配置される前保持部材５０３の上辺部５０３Ｈなどの部材との干渉を避けるため、膨出部６１１を前側に配置するには限界がある。一方、導光板ＬＥＤ６０７を第１導光板５１１の上端面５１１ａに対応する位置に配置しようとすると、導光板ＬＥＤ６０７がＬＥＤ基板６０９の前辺（端）にかかってしまうため、突出部６０９Ａを形成しこれを切欠部６１１ｇにより収容可能としている。
【００７９】
図７及び図８に戻って、下取付部材６０２Ｂは、リニアブッシュ６０６Ａ，６０６Ｂの下半分に嵌合可能な凹部６１３ａ，６１３ｂを有する嵌合部６１３と、嵌合部６１３の下面から左側に張り出す膨出部６１４と、を備えている。膨出部６１４には、左右方向に延びるガイド溝６１４ａが上下に貫通して設けられているとともに、該膨出部６１４の背面側には、ラックギヤ部６１４ｂが形成されている。ガイド溝６１４ａには、ベース部材６０１の案内軸６０１ｂが挿通されるようになっている。
【００８０】
また、上取付部材６０２Ａと下取付部材６０２Ｂとは、リニアブッシュ６０６Ａ，６０６Ｂを上下から挟み込むように凹部６１０ａ，６１０ｂ及び凹部６１３ａ，６１３ｂを嵌合させ、嵌合部６１０及び嵌合部６１３をネジなどにより固定することで一体化される。上取付部材６０２Ａと下取付部材６０２Ｂとがリニアブッシュ６０６Ａ，６０６Ｂに取付けられた状態にあっては、膨出部６１４がベース部材６０１よりも前方側に突出するようになっている。
【００８１】
駆動機構６０３は、ベース部材６０１に固定される駆動モータ６０３Ａと、駆動モータ６０３Ａの駆動軸６０３ａに固定されるギヤ６０３Ｂと、を備え、ギヤ６０３Ｂは、取付部材６０２におけるラックギヤ部６１４ｂに噛合するようになっている。したがって、駆動モータ６０３Ａが駆動すると、その駆動力がギヤ６０３Ｂを介して取付部材６０２に伝達される。
【００８２】
上部カバー部材６０４は、ガイド溝６０１ａ及び駆動モータ６０３Ａを被覆するようにベース部材６０１に固定されている。また、下部カバー部材６０５は、下側から下取付部材６０２Ｂを挟み込むようにベース部材６０１に固定されている。
【００８３】
導光板ＬＥＤ６０７は、赤（Ｒ）・緑（Ｇ）・青（Ｂ）の発光素子を有し、７色にて発光可能なフルカラーＬＥＤからなる。つまり、導光板ＬＥＤ６０７は、複数色にて発光可能である。尚、この導光板ＬＥＤ６０７は、複数輝度にて発光可能に構成されている。
【００８４】
図９〜図１２に示すように、発光装置６００は、後保持部材５０５の上辺部５０５Ｈの上部に組付けられている。詳しくは、ベース部材６０１が後保持部材５０５の上辺部５０５Ｈの背面にネジなどにより固定されていることにより、発光装置６００が後保持部材５０５に組付けられた状態において該発光装置６００の大部分は、後保持部材５０５の背面側に配設されている。また、取付部材６０２における膨出部６１１は、ベース部材６０１よりも前方側に突出しており、前保持部材５０３、後保持部材５０５、第１導光板５１１の上方に配置されている。
【００８５】
発光装置６００が後保持部材５０５に組付けられた状態において、導光板ＬＥＤ６０７は、第１導光板５１１の上端面５１１ａの直上位置に対向して下向きに光を照射可能に配置されている（図１０参照）。したがって、導光板ＬＥＤ６０７が下方に向けて光を照射することにより、第１導光板５１１の上端面５１１ａから該光が入射され、第１導光板５１１に設けられた反射部により前面側に向けて出射され該第１導光板５１１の表示部（前面側）にて所定の画像を発光表示可能となっている（図２０参照）。また、膨出部６１１を構成する側壁部６１１ｄのリブ６１２Ｌと、膨出部６１１を構成する側壁部６１１ｃのリブ６１２Ｒも導光板ＬＥＤ６０７と同様に、第１導光板５１１の上端面５１１ａの直上位置に配置されている（図１１及び図１２参照）。尚、膨出部６１１を構成する前壁部６１１ａは、前保持部材５０３の上辺部５０３Ｈの上方に配置されている。
【００８６】
具体的には、特に図１０（Ｂ）に示すように、導光板ＬＥＤ６０７は、寸法Ｌ１０分第１導光板５１１よりも上方に離間して配置されており、リブ６１２Ｌ（リブ６１２Ｒ）は、寸法Ｌ１０よりも小さな寸法Ｌ１１分第１導光板５１１よりも上方に離間して配置されている（Ｌ１０＞Ｌ１１）。言い換えれば、リブ６１２Ｌ（リブ６１２Ｒ）は、導光板ＬＥＤ６０７よりも第１導光板５１１側に突出する突出部として機能している。尚、第１導光板５１１の上端部と前保持部材５０３の上辺部５０３Ｈとの間には、装飾部材６１５が複数配置されている。この装飾部材６１５は、第１導光板５１１の前面から離間した位置に配置されており、装飾部材６１５と第１導光板５１１との間には後述する所定の隙間Ｓ２０が形成されている。
【００８７】
次に、取付部材６０２の移動形態について図１３〜図１５に基づいて説明する。図１３に示すように、駆動モータ６０３Ａを駆動させることによりギヤ６０３Ｂを介して取付部材６０２におけるラックギヤ部６１４ｂに駆動力が伝達され、これにより取付部材６０２が左右方向に移動するようになっている。また、導光板ＬＥＤ６０７及びリブ６１２Ｌ，６１２Ｒは、取付部材６０２の移動可能範囲において、常に第１導光板５１１の上端面５１１ａの上方に配置されている。つまり、取付部材６０２は、第１導光板５１１の上端面５１１ａに沿って移動可能であり、取付部材６０２の移動可能範囲は、導光板ＬＥＤ６０７及びリブ６１２Ｌ，６１２Ｒが第１導光板５１１の上端面５１１ａに対向する所定位置となっている。言い換えれば、導光板ＬＥＤ６０７が第１導光板５１１の上端面５１１ａに対向する所定位置において、リブ６１２Ｌ，６１２Ｒが第１導光板５１１の上端面５１１ａと対向する。
【００８８】
また前述のように、取付部材６０２の案内軸６１０ｃは、ベース部材６０１のガイド溝６０１ａ内に挿入されており、ベース部材６０１の案内軸６０１ｂは、取付部材６０２のガイド溝６１４ａに挿入されているため、ベース部材６０１に対する取付部材６０２の左右方向の移動が案内される。尚、取付部材６０２は、シャフト６０６に対する摩擦抵抗が低いリニアブッシュ６０６Ａ，６０６Ｂにより取付けられているため、シャフト６０６に沿ってスムーズにスライド移動可能となっている。
【００８９】
また、ベース部材６０１の後面側には、原点位置センサ５１６が配設されており、該原点位置センサ５１６は、ガイド溝６０１ａの左右方向略中央部の位置を検出している。また、取付部材６０２の後面側には、該取付部材６０２の左右方向の移動に伴ってガイド溝６０１ａに沿って該ガイド溝６０１ａ上を走行する検出片６０２ａが設けられており、検出片６０２ａは、取付部材６０２が移動可能範囲における略中央位置にあるときに原点位置センサ５１６により検出されるようになっている。
【００９０】
具体的には、検出片６０２ａが原点位置センサ５１６により検出されたときには、取付部材６０２は、その移動可能範囲における略中央位置である第１位置（原点位置、初期位置）に配置される（図１４（Ａ）参照）。また、取付部材６０２が第１位置にある状態から駆動モータ６０３Ａによりギヤ６０３Ｂを正回転（上面視時計回り、図１３参照）させることにより、取付部材６０２は、その移動可能範囲における右端位置である第２位置に配置される（図１４（Ｂ）参照）。また、取付部材６０２が第１位置にある状態から駆動モータ６０３Ａによりギヤ６０３Ｂを逆回転（上面視反時計回り、図１３参照）させることにより、取付部材６０２は、その移動可能範囲における左端位置である第３位置に配置される（図１４（Ｃ）参照）。
【００９１】
このように、取付部材６０２は、第１位置、第２位置、第３位置の間で左右方向に移動可能であるため、ベース部材６０１に対して相対移動しやすいように取付けられている。したがって、取付部材６０２は、パチンコ遊技機１を搬送すること、取付部材６０２が移動すること、遊技球が遊技領域１０に打ち出されること、他の可動物（上部可動体４０２Ｌ，４０２Ｒや下部可動体４０３Ｌ，４０３Ｒなど）が動作すること等により生じる衝撃や振動などにより上下に動作することがある。例えば、図１５に示すように、取付部材６０２が第１導光板５１１に対し略水平方向を向いた状態のまま近接する場合や、取付部材６０２が第１導光板５１１に対し傾いた状態で近接する場合などがある。
【００９２】
図１５（Ａ）に示すように、取付部材６０２が第１導光板５１１に対し略水平方向を向いた状態のまま近接した場合には、導光板ＬＥＤ６０７よりも第１導光板５１１側に突出するリブ６１２Ｌ，６１２Ｒが、導光板ＬＥＤ６０７よりも先に第１導光板５１１の上端面５１１ａに接触するので、導光板ＬＥＤ６０７が第１導光板５１１の上端面５１１ａに接触することを防止できる。
【００９３】
また、図１５（Ｂ）に示すように、取付部材６０２の右の側壁部６１１ｃが左の左右の側壁部６１１ｄよりも下がった状態（取付部材６０２が第１導光板５１１に対し傾いた状態）で近接した場合にも同様に、導光板ＬＥＤ６０７よりも第１導光板５１１側に突出するリブ６１２Ｒが、導光板ＬＥＤ６０７よりも先に第１導光板５１１の上端面５１１ａに接触するので、導光板ＬＥＤ６０７が第１導光板５１１の上端面５１１ａに接触することを防止できる。尚、導光板ＬＥＤ６０７は、取付部材６０２の右の側壁部６１１ｃ側に寄せて配置されているが、右の側壁部６１１ｃから左側に所定距離離間して配置されているため、取付部材６０２が第１導光板５１１に対し傾いた状態で近接した場合であっても、導光板ＬＥＤ６０７を右の側壁部６１１ｃに近接して配置した形態に比べて、導光板ＬＥＤ６０７が第１導光板５１１の上端面５１１ａに接触しにくくなっている。
【００９４】
また、図示しないが、例えば、取付部材６０２がシャフト６０６を中心として回動するような場合には、取付部材６０２の前壁部６１１ａが前保持部材５０３の上辺部５０３Ｈに接触、または取付部材６０２の後壁部６１１ｂが後保持部材５０５の上辺部５０５Ｈに接触して、導光板ＬＥＤ６０７が第１導光板５１１の上端面５１１ａに接触することを防止できる（図１０〜図１２参照）。また、図１０（Ｂ）に示すように、リブ６１２Ｌ（リブ６１２Ｒ）は、その前後幅が第１導光板５１１の板厚寸法Ｌ１５（前後幅）よりも大きくなっており、第１導光板５１１よりも背面側に延設されているため、取付部材６０２がシャフト６０６を中心として背面側（右側から見て時計回り）に回転したときに、導光板ＬＥＤ６０７よりも先にリブ６１２Ｌ（リブ６１２Ｒ）が第１導光板５１１の上端面５１１ａに接触するようになっている。
【００９５】
図１６に示すように、第１導光板５１１は、所定の板厚寸法｛板厚（例えば、２．５ｍｍ）｝を有する透明なアクリル樹脂板により形成されている。上端面５１１ａは左右方向に延設される平坦面からなり、左右側辺部及び下辺部は前保持部材５０３及び後保持部材５０５に沿うように形成されており、演出表示装置５の表示画面及び可動体装置４００の上部可動体４０２Ｌ，４０２Ｒ及び下部可動体４０３Ｌ，４０３Ｒの前方を被覆可能な形状とされている（図３及び図４参照）。
【００９６】
第１導光板５１１は、アクリル樹脂材により板厚寸法が約２．５ｍｍの透明板からなり、遊技盤２を構成する透明な合成樹脂材からなる盤面板の板厚寸法Ｌ１５（例えば、約１０ｍｍ）に比べて肉薄であるため、後述するように、パチンコ遊技機１に組付けられた状態において、パチンコ遊技機１の内部の温度変化により伸び縮みが発生することがある。
【００９７】
パチンコ遊技機１は、遊技盤２の前面側はガラス扉枠５０により閉鎖され、背面側はカバー体（図示略）により閉鎖されており、これらガラス扉枠５０とカバー体とにより閉鎖された内部空間には、液晶表示器等からなる演出表示装置５や、制御基板、ＬＥＤ、駆動源（モータやソレノイド）といった多数の熱源が設けられている。よって、パチンコ遊技機１の稼働時の内部温度は非稼働時に比べて高くなるため、演出表示装置５とガラス窓５０ａとの間に設けられる第１導光板５１１は、例えば、約４０度の温度変化により最大で約１．６ｍｍの伸び縮みが生じる。
【００９８】
具体的には、例えば第１導光板５１１の場合、反り公差（平面度交差）は約３〜６ｍｍ程度とされているため、例えば、第１導光板装置５００を遊技盤２の背面に取付けた状態において、前側の遊技盤２との離間寸法及び後側の演出表示装置５や他の部材との離間寸法は、６ｍｍを超えた寸法とすることが好ましい。
【００９９】
一方、第１導光板装置５００は、第１導光板５１１は、周縁の一部が前保持部材５０３及び後保持部材５０５により前後から挟持された状態で遊技盤２の背面側に取付けられる構造であるため、製造上の寸法公差や組付誤差によるアセンブリの歪みなどで前保持部材５０３及び後保持部材５０５に接触して傷ついたり破損する虞があるばかりか、上記したような温度変化による伸び縮みにより前保持部材５０３及び後保持部材５０５に接触して傷ついたり破損する虞がある。
【０１００】
よって、本実施例の第１導光板装置５００は、以下に説明するように、パチンコ遊技機１の内部の温度変化や、製造上の寸法公差や組付誤差に対応できるように、第１導光板５１１は、前保持部材５０３及び後保持部材５０５に対し所定の隙間（クリアランス）をもって取付けられている。
【０１０１】
図１６〜図１８に示すように、第１導光板５１１における右上部には、前保持部材５０３の背面右上側に突設された第１位置決め用ボス５５１が挿入可能な第１挿入部としての正面視円形状の第１孔部５１１Ａが形成されている。また、第１導光板５１１における左上部には、前保持部材５０３の背面左上側に突設された第２位置決め用ボス５５２が挿入可能な第２挿入部としての第２孔部５１１Ｂが形成されている。第２孔部５１１Ｂは左右方向に向けて延設される長孔にて構成されている。また、第１導光板５１１における右下部には、前保持部材５０３の背面右下側に突設された第３位置決め用ボス５４２が挿入可能な第２挿入部としての第３孔部５１１Ｃが形成されている。第３孔部５１１Ｃは上下方向に向けて延設される長孔にて構成されている。
【０１０２】
第１孔部５１１Ａは、該第１孔部５１１Ａの中心を通る直線ＬＮ２が、上端面５１１ａ（第１導光板５１１の上辺）に沿う直線ＬＮ１に対し平行をなすように、上端面５１１ａの近傍位置に形成されている。第２孔部５１１Ｂは、該第２孔部５１１Ｂの中心を通る直線ＬＮ３が、上端面５１１ａ（第１導光板５１１の上辺）に沿う直線ＬＮ１に対し平行をなすように、上端面５１１ａの近傍位置に形成されている。第３孔部５１１Ｃは、第３孔部５１１Ｃの中心と通る直線ＬＮ５が、右端面５１１ｂ（第１導光板５１１の右側辺）に沿う直線ＬＮ４に対し略平行をなすように、右端面５１１ｂの近傍位置に形成されている。
【０１０３】
詳しくは、直線ＬＮ１と直線ＬＮ２との離間寸法Ｌ２０、直線ＬＮ１と直線ＬＮ３との離間寸法Ｌ２１、及び直線ＬＮ４と直線ＬＮ５との離間寸法Ｌ２２は、第１導光板５１１の板厚寸法Ｌ１５の２倍の長さ（２．５ｍｍ×２＝５ｍｍ）より長寸とされている（Ｌ２０，Ｌ２１，Ｌ２２＞Ｌ１５×２）。つまり、第１孔部５１１Ａと第２孔部５１１Ｂとは、上端面５１１ａ（第１導光板５１１の上辺）から第１導光板５１１の板厚寸法Ｌ１５の２倍以上離れた位置に形成されており、第３孔部５１１Ｃは、右端面５１１ｂ（第１導光板５１１の右側辺）から第１導光板５１１の板厚寸法Ｌ１５の２倍以上離れた位置に形成されている。
【０１０４】
また、第１孔部５１１Ａと第２孔部５１１Ｂとは、上端面５１１ａ（第１導光板５１１の上辺）に対してだけでなく、第１導光板５１１の周縁から第１導光板５１１の板厚寸法Ｌ１５（図１０参照）の２倍以上離れた位置に形成されていることで、第１導光板５１１の周縁近傍の強度が孔部により著しく低下しないように適切に維持されている。第３孔部５１１Ｃも同様に、右端面５１１ｂに対してだけでなく、第１導光板５１１の周縁から第１導光板５１１の板厚寸法Ｌ１５（図１０参照）の２倍以上離れた位置に形成されていることで、第１導光板５１１の周縁近傍の強度が孔部により著しく低下しないように適切に維持されている。
【０１０５】
図１８（Ａ）に示すように、第１孔部５１１Ａの直径Ｌ１は、第１位置決め用ボス５５１の直径Ｌ２よりも若干長寸とされているが（Ｌ１＞Ｌ２）、第１孔部５１１Ａに第１位置決め用ボス５５１が挿入された状態において、第１孔部５１１Ａと第１位置決め用ボス５５１との間に左右上下方向の隙間Ｓ１（Ｌ１−Ｌ２）がほぼ生じない。つまり、第１位置決め用ボス５５１は第１孔部５１１Ａに嵌合される。
【０１０６】
第２孔部５１１Ｂの左右寸法Ｌ３Ａは、第２位置決め用ボス５５２の直径Ｌ４よりも長寸とされ（Ｌ３Ａ＞Ｌ４）、第２孔部５１１Ｂの上下寸法Ｌ３Ｂは、第２位置決め用ボス５５２の直径Ｌ４よりも若干長寸とされている（Ｌ３Ｂ＞Ｌ４）。よって、第２孔部５１１Ｂに第２位置決め用ボス５５２が挿入された状態において、第２孔部５１１Ｂと第２位置決め用ボス５５２との間に左右方向の隙間Ｓ２（Ｌ３Ａ−Ｌ４）が生じるが、上下方向の隙間Ｓ３（Ｌ３Ｂ−Ｌ４）がほぼ生じない。
【０１０７】
左右方向の隙間Ｓ２は、隙間Ｓ１よりも大きい（Ｓ２（Ｌ３Ａ−Ｌ４）＞Ｓ１（Ｌ１−Ｌ２））。また、隙間Ｓ１と隙間Ｓ３とはほぼ同寸とされている（Ｓ１（Ｌ１−Ｌ２）＝Ｓ３（Ｌ３Ｂ−Ｌ４））。つまり、第２孔部５１１Ｂは、第２位置決め用ボス５５２に対する第１導光板５１１の左右方向への移動を許容し、上下方向への移動を許容しない。
【０１０８】
また、図１８（Ｂ）に示すように、第３孔部５１１Ｃの上下寸法Ｌ５Ａは、第３位置決め用ボス５４２の直径Ｌ６よりも長寸とされ（Ｌ５Ａ＞Ｌ６）、第３孔部５１１Ｃの左右寸法Ｌ５Ｂは、第２位置決め用ボス５５２の直径Ｌ６よりも若干長寸とされている（Ｌ５Ｂ＞Ｌ６）。よって、第３孔部５１１Ｃに第３位置決め用ボス５４２が挿入された状態において、第３孔部５１１Ｃと第３位置決め用ボス５４２との間に上下方向の隙間Ｓ４（Ｌ５Ａ−Ｌ６）が生じるが、左右方向の隙間Ｓ５（Ｌ５Ｂ−Ｌ６）がほぼ生じない。
【０１０９】
上下方向の隙間Ｓ４は、隙間Ｓ５よりも大きい（Ｓ４（Ｌ５Ａ−Ｌ６）＞Ｓ５（Ｌ５Ｂ−Ｌ６））。また、隙間Ｓ１と隙間Ｓ５とはほぼ同寸とされている（Ｓ１（Ｌ１−Ｌ２）＝Ｓ５（Ｌ５Ｂ−Ｌ６））。つまり、第３孔部５１１Ｃは、第３位置決め用ボス５４２に対する第１導光板５１１の上下方向への移動を許容し、左右方向への移動を許容しない。
【０１１０】
また、第１位置決め用ボス５５１の直径Ｌ２と第２位置決め用ボス５５２の直径Ｌ４とはほぼ同寸とされており（Ｌ２＝Ｌ４）、第３位置決め用ボス５４２の直径Ｌ６は、第１位置決め用ボス５５１の直径Ｌ２及び第２位置決め用ボス５５２の直径Ｌ４よりも小さい。尚、本実施例では、第１位置決め用ボス５５１の直径と第２位置決め用ボス５５２の直径とは同寸とされているが、異なっていてもよい。
【０１１１】
図１０〜図１２、図１８に示すように、第１導光板５１１を前保持部材５０３と後保持部材５０５とにより保持した状態において、第１導光板５１１と前保持部材５０３との間に隙間Ｓ２０が設けられる。この隙間Ｓ２０は、第１導光板５１１の全面に亘って形成されており、いずれの箇所においても第１導光板５１１の板厚寸法Ｌ１５以下の寸法（例えば、約０．２ｍｍ〜８ｍｍ程度）とされている（Ｓ２０＜Ｌ１５）。このように、隙間Ｓ２０は、最も前後幅が小さい箇所が約０．２ｍｍ程度であるため、第１導光板５１１が前後に移動する幅は極めて小さい。
【０１１２】
次に、図１９に基づいて、第１導光板５１１の熱膨張について説明する。第１導光板５１１は、アクリル樹脂材により板厚寸法Ｌ１５が約２．５ｍｍの透明板からなるため、前述したように、パチンコ遊技機１の内部の温度変化に応じて伸び縮みが生じる。
【０１１３】
本実施例では、例えば、図１９に示すように、第１導光板５１１における第１孔部５１１Ａ（第１導光板５１１の右上側）から対向する角部（第１導光板５１１の左下側）までの離間寸法Ｌ４０は約４４２ｍｍであり、この場合、製造上の寸法公差は±０．６ｍｍ程度となり、４０度の温度変化に対し最大で約１．６ｍｍ程度の伸びが発生する。よって、第１導光板５１１における第１孔部５１１Ａと該第１孔部５１１Ａと対向する角部の位置が固定されていると、温度変化により約１６．３ｍｍ程度の不可逆的な反りが発生することがある。
【０１１４】
図１８及び図１９（Ａ）に示すように、第１導光板５１１を前保持部材５０３と後保持部材５０５とにより保持した状態において、第１孔部５１１Ａには第１位置決め用ボス５５１が嵌合され、第２孔部５１１Ｂの左右方向の略中央位置には第２位置決め用ボス５５２が挿入され、第３孔部５１１Ｃの上下方向の略中央位置には第３位置決め用ボス５４２が挿入されている。
【０１１５】
図１８及び図１９（Ｂ）に示すように、第１導光板５１１が熱膨張する場合、第１導光板５１１は、前保持部材５０３と後保持部材５０５に対し相対移動することになるが、第１孔部５１１Ａが前保持部材５０３に形成された第１位置決め用ボス５５１に嵌合されていることで、第１孔部５１１Ａを基準として放射状（図中矢印方向）に伸長することになる。尚、第１導光板５１１における第１孔部５１１Ａと対向する角部の位置は固定されていないため、第１孔部５１１Ａを基準とする斜め左下方向への伸びは許容されることになる。
【０１１６】
ここで、第１孔部５１１Ａ及び第２孔部５１１Ｂは、導光板ＬＥＤ６０７の出射面（下面）から出射される光が入射される上端面５１１ａの近傍に設けられており、また、第１位置決め用ボス５５１との上下方向の隙間Ｓ１及び第２位置決め用ボス５５２との上下方向の隙間Ｓ３は小さいため、第１孔部５１１Ａ及び第２孔部５１１Ｂから上方向への伸び幅を小さく抑えることができる。よって、第１導光板５１１の上端面５１１ａが上方の導光板ＬＥＤ６０７に伸長することで、導光板ＬＥＤ６０７との離間寸法が左右方向の一の位置（例えば、右側位置）と他の位置（例えば、左側位置）との間で異なること、つまり、導光板ＬＥＤ６０７の出射面（下面）と第１導光板５１１の上端面５１１ａとの位置関係がずれてしまったり、上端面５１１ａが導光板ＬＥＤ６０７に接触するなどして、導光板ＬＥＤ６０７が傷付いたり破損したりすることが防止される。
【０１１７】
一方、第２位置決め用ボス５５２と第２孔部５１１Ｂとの隙間Ｓ２が隙間Ｓ１よりも大きいことで、第１孔部５１１Ａを基準とする左方向への伸びは許容されるため、図１９（Ｂ）に示すように、第２孔部５１１Ｂが第２位置決め用ボス５５２に対し左側に大きくずれた場合でも、第１導光板５１１を前取付位置に位置決めするための第２位置決め用ボス５５２を押圧して折ってしまうことを回避できるため、前保持部材５０３及び第１導光板５１１に対する位置ずれにより、導光板ＬＥＤ６０７から上端面５１１ａへの光の入射に悪影響が及ぶことを防止できる。
【０１１８】
また、第１位置決め用ボス５５１と第１孔部５１１Ａとの左右方向の隙間Ｓ１及び第３孔部５１１Ｃと第３位置決め用ボス５４２との隙間Ｓ５は小さいため、第１孔部５１１Ａ及び第３孔部５１１Ｃの右方向への伸び幅を小さく抑えることができる。一方、第３孔部５１１Ｃと第３位置決め用ボス５４２との隙間Ｓ４が隙間Ｓ１よりも大きいことで、第１孔部５１１Ａを基準とする下方向への伸びは許容されるため、図１９（Ｂ）に示すように、第３孔部５１１Ｃが第３位置決め用ボス５４２に対し下側に大きくずれた場合でも、第１導光板５１１を前取付位置に位置決めするための第３位置決め用ボス５４２を押圧して折ってしまうことを回避できる。
【０１１９】
尚、図１９では、第１導光板５１１が熱膨張した場合について説明したが、例えば、冬季における製造時、保管時、遊技場の非営業時などにおいてパチンコ遊技機１の内部温度が低下して第１導光板５１１が収縮した場合にあっては、特に図示はしないが、第１孔部５１１Ａを基準として放射状に収縮、つまり、第１導光板５１１の周縁部が第１孔部５１１Ａに向けて移動するように収縮する。
【０１２０】
このような場合でも、第２孔部５１１Ｂの長手方向の略中央位置に第２位置決め用ボス５５２が挿入されており、また、第３孔部５１１Ｃの略中央位置に第３位置決め用ボス５４２が挿入されることで、第２位置決め用ボス５５２及び第３位置決め用ボス５４２に対する第２孔部５１１Ｂ及び第３孔部５１１Ｃの第１孔部５１１Ａ側への移動が許容されるため、第２位置決め用ボス５５２及び第３位置決め用ボス５４２の破損が防止される。
【０１２１】
次に、第１導光板装置５００による演出表示態様について、図２０に基づいて説明する。尚、本実施例では、大当りの可能性を示唆する大当り予告演出として第１導光板装置５００の演出表示を実行する形態を例に取り説明する。
【０１２２】
前述のように、導光板ＬＥＤ６０７の光が第１導光板５１１の上端面５１１ａから入射されることにより、該光が第１導光板５１１に設けられた複数の反射部（図示略）により前面側に向けて出射され該第１導光板５１１の表示部にて所定の画像を発光表示可能となっている。具体的には、例えば、特開２０１６−１１４９２９号公報に示される光デバイスの技術のように、第１導光板５１１に設けられた反射部は、該第１導光板５１１の前面側の空間上の予め定められた前後左右上下複数の位置に光を収束させるようになっており、図２０に示すように、光が収束された収束点や収束線の集まりにより空間上に立体像（直方体）が形成されるようになっている。つまり、第１導光板５１１は、立体演出表示が可能となっている。
【０１２３】
演出制御用ＣＰＵ１２０は、取付部材６０２を左右方向（第１位置〜第３位置）に移動させながら導光板ＬＥＤ６０７を発光させる制御を行うことができる。これによれば、取付部材６０２の左右方向への移動により各反射部に対する導光板ＬＥＤ６０７からの光の入射角が変化するため、反射部により光が収束された収束点や収束線も取付部材６０２の移動に伴って移動し、第１導光板５１１に表示される立体像が漸次変化する演出表示を行うことができる。
【０１２４】
具体的には、図２０（Ａ）に示すように、取付部材６０２が第１位置にあるときには、遊技者から見て前面が正面側（遊技者側）を向く立体像Ｚ１が表示される。図２０（Ｂ）に示すように、取付部材６０２が第２位置にあるときには、遊技者から見て前面が左手前側を向く立体像Ｚ２が表示される。図２０（Ｃ）に示すように、取付部材６０２が第３位置にあるときには、遊技者から見て前面が右下側を向く立体像Ｚ３が表示される。
【０１２５】
本実施例では、取付部材６０２は第１位置（原点位置）に停止しており（導光板ＬＥＤ６０７は消灯）、演出制御用ＣＰＵ１２０は、例えば、大当り予告演出における所定タイミングで、導光板ＬＥＤ６０７を点灯して取付部材６０２を第１位置から第２位置へ移動させた後、第２位置から第１位置を経由して第３位置へ移動し、第２位置と第３位置との間で所定回数（例えば、３回）左右方向に往復移動させた後、最終的に第１位置、第２位置及び第３位置のうちいずれかに停止させる。また、演出制御用ＣＰＵ１２０は、取付部材６０２を移動させながら導光板ＬＥＤ６０７の発光色を変更（変化）させるとともに、最終位置において所定の発光態様にて発光させる制御を行う。そして、これら最終停止位置、移動中の発光態様、最終停止時の発光態様により、大当りの可能性を示唆する。
【０１２６】
詳しくは、演出制御用ＣＰＵ１２０は、図柄の変動表示を開始する際に、変動表示の表示結果に基づいて大当り予告演出の実行の有無を決定するとともに、実行を決定した場合には、取付部材６０２の最終停止位置、移動中の導光板ＬＥＤ６０７の発光色の変更態様（例えば、白→青、青→赤、レインボー等）、最終停止位置での発光態様（例えば、白、青、赤、レインボー）といった各演出態様をそれぞれ決定する。
【０１２７】
最終停止位置については、最終停止位置が第１位置（立体像Ｚ１が表示）、第２位置（立体像Ｚ２が表示）、第３位置（立体像Ｚ３が表示）の順に大当りの期待度(有利度)が高くなるように決定する。言い換えると、演出制御用ＣＰＵ１２０は、図柄の変動表示結果が大当り表示結果である場合、第１割合で第３位置を決定し、第１割合よりも低い第２割合で第２位置を決定し、第２割合よりも低い第３割合で第１位置を決定する。つまり、大当り表示結果が大当りの場合、大当りではない場合よりも高い割合で第３位置に決定する。
【０１２８】
また、移動中の導光板ＬＥＤ６０７の発光（変更）態様については、第１発光態様（白→青、輝度弱）、第２発光態様（青→赤、輝度中）、第３発光態様（レインボー（７色変化）、輝度高）の順に大当りの期待度(有利度)が高くなるように決定する。言い換えると、演出制御用ＣＰＵ１２０は、図柄の変動表示結果が大当り表示結果である場合、第１割合で第３発光態様を決定し、第１割合よりも低い第２割合で第２発光態様を決定し、第２割合よりも低い第３割合で第１発光態様を決定する。つまり、大当り表示結果が大当りの場合、大当りではない場合よりも高い割合で第３発光態様を決定する。
【０１２９】
また、最終停止位置での導光板ＬＥＤ６０７の発光態様については、第１発光態様（白、輝度弱）、第２発光態様（青、輝度中）、第３発光態様（赤、輝度高）の順に大当りの期待度(有利度)が高くなるように決定する。言い換えると、演出制御用ＣＰＵ１２０は、図柄の変動表示結果が大当り表示結果である場合、第１割合で第３発光態様を決定し、第１割合よりも低い第２割合で第２発光態様を決定し、第２割合よりも低い第３割合で第１発光態様を決定する。つまり、大当り表示結果が大当りの場合、大当りではない場合よりも高い割合で第３発光態様を決定する。
【０１３０】
尚、移動中の発光態様、及び最終停止時の発光態様は、白、青、赤、レインボーのみに限られず、他の色を用いてもよい。また、本実施例では、第１発光態様（白→青）、第２発光態様（青→赤）、において発光色が１回変化する形態を例示したが、本発明はこれに限定されるものではなく、例えば、発光色が２回以上変化するようにしてもよく、また、発光色が変化する回数に応じて大当りの期待度(有利度)が高くなるようになっていてもよい。また、発光色が変化することに合わせて発光輝度を複数段階で変化させるようにしてもよい。
【０１３１】
このように演出制御用ＣＰＵ１２０は、取付部材６０２を左右方向（第１位置〜第３位置）に移動させながら導光板ＬＥＤ６０７の発光する色を変更（変化）する制御を行うことができる。これによれば、変動表示結果に応じて立体像Ｚ１，Ｚ２，Ｚ３の発光する色（例えば、白、青、赤、レインボー等）を変更することができるため、演出効果を高めることができる。また、演出制御用ＣＰＵ１２０は、取付部材６０２を左右方向（第１位置〜第３位置）に移動させながら導光板ＬＥＤ６０７の発光する輝度も変更する制御を行うことができる。これによれば、変動表示結果に応じて立体像Ｚ１，Ｚ２，Ｚ３の明暗を変更することができるため、演出効果を高めることができる。
【０１３２】
また、図２０に示すように、取付部材６０２は、前保持部材５０３の上辺部５０３Ｈの背面側に配設されており、前述のように、上辺部５０３Ｈは透光性が低いことから遊技者側から視認困難となっている。つまり、取付部材６０２が第１位置、第２位置、第３位置のいずれの位置で停止するかを遊技者が予測することが困難であるため、遊技者に興味を持たせることができる。
【０１３３】
また、上辺部５０３Ｈは透光性が低いことから取付部材６０２を遊技者側から視認困難としているが、膨出部６１１の切欠部６１１ｇから光が前方に漏れるようになっていることで、導光板ＬＥＤ６０７を発光させながら取付部材６０２を移動させる場合においては、切欠部６１１ｇから漏れた光が上辺部５０３Ｈを通して前方に出射されるため、取付部材６０２を視認困難としつつ、移動する光に応じて立体像Ｚ１，Ｚ２，Ｚ３の向きや形状等が変化しているように見せることができる。
【０１３４】
尚、図２０では、取付部材６０２の移動に伴って移動し、第１導光板５１１に表示される立体像Ｚ１，Ｚ２，Ｚ３が漸次変化する演出表示について説明する便宜上、表示される画像として立方体を記載しているが、例えば、上部可動体４０２Ｌ，４０２Ｒや下部可動体４０３Ｌ，４０３Ｒに関連する画像を各可動体に対応する位置等に表示してもよい。
【０１３５】
以上説明したように、本発明の実施例としてのパチンコ遊技機１にあっては、発光手段（例えば、導光板ＬＥＤ６０７）と、前記発光手段からの光が端面（例えば、上端面５１１ａ）から入射されることにより演出表示を行うことが可能な導光板（例えば、第１導光板５１１）と、前記発光手段が取付けられる取付部材（例えば、取付部材６０２）と、を備え、前記取付部材は、移動可能に設けられ、前記発光手段よりも前記導光板側に突出する突出部（例えば、導光板ＬＥＤ６０７は、寸法Ｌ１０分第１導光板５１１よりも上方に離間して配置されており、リブ６１２Ｌ（リブ６１２Ｒ）は、寸法Ｌ１０よりも大きな寸法Ｌ１１分第１導光板５１１よりも上方に離間して配置されている。図１０参照）を有し、前記突出部は、前記取付部材が前記導光板の端面と前記発光手段とが対向する所定位置において前記導光板の端面と対向する（例えば、取付部材６０２の移動可能範囲は、導光板ＬＥＤ６０７及びリブ６１２Ｌ，６１２Ｒが第１導光板５１１の上端面５１１ａに対向する所定位置となっている。図１０〜図１２、図１４参照）。このようにすることで、導光板ＬＥＤ６０７が第１導光板５１１の上端面５１１ａに接触して破損することを防止できる。
【０１３６】
具体的には、取付部材６０２に取付けられる導光板ＬＥＤ６０７は、赤（Ｒ）・緑（Ｇ）・青（Ｂ）の発光素子を有し、７色にて発光可能なフルカラーＬＥＤからなり、単色のＬＥＤに比べて高価であるため、取付部材６０２を左右方向に移動可能に取付け、１つの導光板ＬＥＤ６０７を用いて第１導光板５１１の表示部に表示される画像を変化させる演出表示を行っている。これにより、導光板ＬＥＤ６０７（フルカラーＬＥＤ）を複数設け、発光箇所を変更することにより画像を変化させる場合に比べ、画像を変化させる演出表示を安価に行うことができる。
【０１３７】
取付部材６０２は、左右方向に移動可能に取付けられており、移動動作をスムーズに行えるようにベース部材６０１に対して若干の相対移動が許容されていることから、パチンコ遊技機１を搬送すること、取付部材６０２が移動こと、遊技球が遊技領域１０に打ち出されること、他の可動物（上部可動体４０２Ｌ，４０２Ｒや下部可動体４０３Ｌ，４０３Ｒなど）が動作すること等により生じる衝撃や振動などにより上下に動作することがあり、導光板ＬＥＤ６０７が第１導光板５１１の上端面５１１ａに接触して破損する虞がある。また、第１導光板５１１は、アクリル樹脂材により板厚寸法が約２．５ｍｍの透明板からなり、遊技盤２を構成する透明な合成樹脂材からなる盤面板の板厚寸法Ｌ１５（例えば、約１０ｍｍ）に比べて肉薄であるため、パチンコ遊技機１に組付けられた状態において、パチンコ遊技機１の内部の温度変化により伸び縮みが発生することがあり、第１導光板５１１が熱膨張することで導光板ＬＥＤ６０７に第１導光板５１１の上端面５１１ａが近接して接触しやすくなるといった虞もあった。
【０１３８】
本実施例においては、導光板ＬＥＤ６０７が寸法Ｌ１０分第１導光板５１１よりも上方に離間して配置されており、リブ６１２Ｌ，６１２Ｒが寸法Ｌ１０よりも小さな寸法Ｌ１１分第１導光板５１１よりも上方に離間して配置されている（Ｌ１０＞Ｌ１１）。つまり、リブ６１２Ｌ，６１２Ｒは、導光板ＬＥＤ６０７よりも第１導光板５１１側に突出しており、取付部材６０２が第１導光板５１１に近接した場合には、導光板ＬＥＤ６０７よりも第１導光板５１１側に突出するリブ６１２Ｌ，６１２Ｒが、導光板ＬＥＤ６０７よりも先に第１導光板５１１の上端面５１１ａに接触するので、導光板ＬＥＤ６０７が第１導光板５１１の上端面５１１ａに接触して破損することを防止できる。
【０１３９】
また、取付部材６０２は、第１導光板５１１の上端面５１１ａに沿って移動可能であるため、演出効果を高めることができる。具体的には、取付部材６０２が第１導光板５１１の上端面５１１ａに沿って移動する移動範囲において、導光板ＬＥＤ６０７は、常に第１導光板５１１の上端面５１１ａの上方に配置されている。これによれば、導光板ＬＥＤ６０７を点灯させながら取付部材６０２を移動させることで、第１導光板５１１に設けられた各反射部に対する光の入射角が変化するため、各反射部により光が収束された収束点や収束線も取付部材６０２の移動に伴って移動し、第１導光板５１１に表示される立体像（例えば、立体像Ｚ１，Ｚ２，Ｚ３）が漸次変化するような演出表示を行うことができる。
【０１４０】
また、リブ６１２Ｌ，６１２Ｒは、取付部材６０２の移動範囲において常に第１導光板５１１の上端面５１１ａの上方に配置されているため、取付部材６０２が左右方向のいずれの位置（例えば、第１位置、第２位置、第３位置）で第１導光板５１１に近接した場合であっても、導光板ＬＥＤ６０７よりも先に第１導光板５１１の上端面５１１ａに接触するので、導光板ＬＥＤ６０７が第１導光板５１１の上端面５１１ａに接触して破損することを防止できる。
【０１４１】
また、本実施例では、突出部の一例としてのリブ６１２Ｌ，６１２Ｒは、左右の側壁部６１１ｃ，６１１ｄの下端面に下方に突出するように形成されている形態を例示したが、本発明はこれに限定されるものではなく、導光板ＬＥＤ６０７よりも第１導光板５１１の上端面５１１ａに対し突出する位置に設けられているものであれば、例えば、左右の側壁部６１１ｃ，６１１ｄの下端面が突出部として機能してもよい。
【０１４２】
尚、本実施例では、取付部材６０２が第１導光板５１１の上端面５１１ａに沿って移動する形態を例示したが、本発明はこれに限定されるものではなく、導光板ＬＥＤ６０７が第１導光板５１１の上端面５１１ａに対向する所定位置にあるときに、リブ６１２Ｌ，６１２Ｒが第１導光板５１１の上端面５１１ａに対向するものであれば、取付部材６０２の動作方向は自由に変更してもよい。例えば、取付部材６０２が第１導光板５１１の上端面５１１ａに対して近接及び離間するように上下方向に移動するようになっていてもよいし、導光板ＬＥＤ６０７が第１導光板５１１の上端面５１１ａに対向する所定位置と、導光板ＬＥＤ６０７が第１導光板５１１の上端面５１１ａと対向しない退避位置と、の間で取付部材６０２が例えば前後（略水平）方向に移動するようになっていてもよい。
【０１４３】
また、リブ６１２Ｌ，６１２Ｒを有する取付部材６０２は、導光板ＬＥＤ６０７を有するＬＥＤ基板６０９を収容可能とする下向きに開口する箱状に形成されていることで、導光板ＬＥＤ６０７からの光が周囲に拡散されることを防止できる。
【０１４４】
また、第１導光板５１１は、立体演出表示が可能であるため、演出効果を高めることができる。具体的には、第１導光板５１１の背面には、凹凸状態（粗面）の複数の反射部が設けられており、これら反射部は、前面側の空間上の予め定められた前後左右上下複数の位置に光を収束させるようになっており、光が収束された収束点や収束線の集まりにより空間上に立体像Ｚ１，Ｚ２，Ｚ３が形成されるようになっている。つまり、立体感を演出することで遊技者に対して奥行を感じさせることができるため、演出効果が高まる。尚、立体演出表示を行う方式として、遊技者の右目と左目の視差に対応した映像を視認させる公知の偏光方式や視差バリア方式等を採用してもよい。
【０１４５】
また、取付部材６０２が移動中に導光板ＬＥＤ６０７を複数色にて発光可能であるため、演出効果を高めることができる。具体的には、導光板ＬＥＤ６０７は、赤（Ｒ）・緑（Ｇ）・青（Ｂ）の発光素子を有し、７色にて発光可能なフルカラーＬＥＤからなり、演出制御用ＣＰＵ１２０は、取付部材６０２を左右方向（第１位置〜第３位置）に移動させながら導光板ＬＥＤ６０７の発光する色を変更（変化）する制御を行うことができる。これによれば、取付部材６０２の移動により立体像Ｚ１，Ｚ２，Ｚ３の向きや形状等を変化させながら、立体像Ｚ１，Ｚ２，Ｚ３の発光色（例えば、白、青、赤、レインボー等）を変更させることができるため、演出効果を高めつつ遊技者に期待感を与えることができる。
【０１４６】
また、このように立体演出表示するときにおいて、導光板ＬＥＤ６０７を発光させながら左右に移動させることにより立体像Ｚ１，Ｚ２，Ｚ３の向きや形状等を変化させることができるので、導光板ＬＥＤ６０７を第１導光板５１１の端面に沿って複数配置することにより同じような立体演出表示を行う場合に比べて、立体像Ｚ１，Ｚ２，Ｚ３の向きや形状等が段階的に変化しないようにスムーズに変化させることができる。
【０１４７】
また、取付部材６０２が移動中に導光板ＬＥＤ６０７を複数輝度にて発光可能であるため、演出効果を高めることができる。具体的には、導光板ＬＥＤ６０７は、複数の輝度で発光可能に構成されており、演出制御用ＣＰＵ１２０は、取付部材６０２を左右方向（第１位置〜第３位置）に移動させながら導光板ＬＥＤ６０７の発光する輝度も変更する制御を行うことができる。これによれば、取付部材６０２の移動により立体像Ｚ１，Ｚ２，Ｚ３の向きや形状等を変化させながら、立体像Ｚ１，Ｚ２，Ｚ３の明暗を変更させることができるため、演出効果を高めつつ遊技者に期待感を与えることができる。
【０１４８】
また、取付部材６０２を移動させる演出と、導光板ＬＥＤ６０７の発光する色を変更する演出と、導光板ＬＥＤ６０７の発光する輝度を変更する演出と、を組み合わせて行うことにより演出効果をさらに高めることができる。例えば、先ず、第１位置、第２位置、第３位置のいずれかの位置で取付部材６０２を停止させた状態で低輝度及び所定の色の立体像（立体像Ｚ１，Ｚ２，Ｚ３のいずれか）を表示する。次いで取付部材６０２を移動させて立体像Ｚ１，Ｚ２，Ｚ３を漸次変化させる。そして、第１位置、第２位置、第３位置のいずれかの位置で取付部材６０２を停止させるとともに、導光板ＬＥＤ６０７の輝度を高く変化させ、且つ、所定の色とは異なる色で立体像（立体像Ｚ１，Ｚ２，Ｚ３のいずれか）を表示するなどの演出表示を行うことができる。これによれば、取付部材６０２が動作するときに変化して表示される立体像に比べ、停止したときに表示されるいずれかの立体像Ｚ１，Ｚ２，Ｚ３を強調することができるため、遊技者にインパクトを与えることができる。
【０１４９】
尚、上記演出表示の形態は、一例であり、自由に変更することができる。例えば、演出制御用ＣＰＵ１２０は、取付部材６０２を移動させているときに導光板ＬＥＤ６０７を常に点灯させるものに限られず、取付部材６０２を移動するときは消灯し、停止させてから点灯させたり、取付部材６０２を移動させながら点滅を繰り返したりしてもよい。尚、取付部材６０２が移動するときは消灯し、停止させてから点灯する場合においては、上辺部５０３Ｈにより取付部材６０２が遊技者側から視認困難となっていることから、移動する取付部材６０２の位置を予測することが極めて困難となる。これにより、遊技者は導光板ＬＥＤ６０７が点灯するまで、取付部材６０２がいずれの位置に移動したかが分からなくなくなるので、遊技者に取付部材６０２の移動に対する興味を持たせることができる。
【０１５０】
また、所定条件の成立に応じて遊技者にとって有利な有利状態（例えば、大当り遊技状態）に制御可能であり、取付部材６０２と導光板ＬＥＤ６０７とは、遊技者から視認困難に設けられ、前記所定位置（例えば、導光板ＬＥＤ６０７が第１導光板５１１の上端面５１１ａに対向する位置）は、第１位置（例えば、第１位置）と該第１位置とは異なる第２位置（例えば、第２位置及び第３位置）を含み、前記第１位置と前記第２位置のいずれにあるときに導光板ＬＥＤ６０７が発光するかに応じて有利度（期待度）が異なる。このようにすることで、演出効果を高めることができる。
【０１５１】
具体的には、本実施例では、取付部材６０２の移動が第１位置で停止した場合（立体像Ｚ１が表示された場合）が最も大当りの期待度が低く、取付部材６０２の移動が第２位置で停止した場合（立体像Ｚ２が表示された場合）が取付部材６０２の移動が第１位置で停止した場合よりも期待度が高く、取付部材６０２の移動が第３位置で停止した場合（立体像Ｚ３が表示された場合）が最も大当りの期待度が高く設定されているため、遊技者に第１位置、第２位置、第３位置のいずれの位置で取付部材６０２が停止するか（立体像Ｚ１，Ｚ２，Ｚ３のいずれが表示されるか）遊技者に興味を持たせることができる。また、大当りの期待度に応じて立体像Ｚ１，Ｚ２，Ｚ３の発光する色や明暗（輝度）を変更することにより、さらに遊技者に興味を持たせることができる。尚、取付部材６０２の各停止位置における大当りの期待度は、自由に変更することができる。
【０１５２】
また、取付部材６０２及び導光板ＬＥＤ６０７は、前保持部材５０３の上辺部５０３Ｈの背面側に配設されており、遊技者から視認困難となっている。つまり、取付部材６０２が第１位置、第２位置、第３位置のいずれの位置で停止するかを遊技者が予測することが困難であるため、遊技者に興味を持たせることができる。また、前保持部材５０３以外の構造物や演出用可動体等によって遊技者から視認困難となるように隠蔽してもよい。
【０１５３】
尚、取付部材６０２及び導光板ＬＥＤ６０７が遊技者から視認困難に設けられていればよく、例えば、取付部材６０２の前面に取付部材６０２とは異なる方向へ移動する移動体やＬＥＤを複数設け、移動体やＬＥＤを取付部材６０２と同時に動作させることで取付部材６０２を特定しにくいようにカムフラージュしてもよいし、遊技者側に照射するＬＥＤを設けることで遊技者から取付部材６０２を見えにくくする等、構造物による隠蔽以外の方法で視認困難となるようにしてもよい。
【０１５４】
また、第１導光板５１１が取付けられる被取付部としての前保持部材５０３，後保持部材５０５と、を備え、被取付部は、導光板ＬＥＤ６０７に対する第１導光板５１１の位置決め用のボスとして、第１位置決め用ボス５５１と第２位置決め用ボス５５２とを含む複数の位置決め用ボスを有し、第１導光板５１１は、第１位置決め用ボス５５１が挿入可能な第１挿入部としての第１孔部５１１Ａと、第２位置決め用ボス５５２が挿入可能な第２挿入部としての第２孔部５１１Ｂとを含む複数の挿入部を有し、第２位置決め用ボス５５２と第２孔部５１１Ｂとは、第１導光板５１１を被取付部に取付けた状態において、第２位置決め用ボス５５２と第２孔部５１１Ｂとの間に生じる隙間Ｓ２が第１位置決め用ボス５５１と第１孔部５１１Ａとの間に生じる隙間Ｓ１よりも大きく、上端面５１１ａに平行または略平行な特定方向への第１導光板５１１の移動を許容する一方で該特定方向以外の方向への第１導光板５１１の移動を規制するように設けられる。
【０１５５】
このようにすることで、第２位置決め用ボス５５２と第２孔部５１１Ｂとにより第１導光板５１１の導光板ＬＥＤ６０７側への移動が規制されることで、熱膨張時の入光状況の変化（例えば、第１導光板５１１の熱膨張により上端面５１１ａが導光板ＬＥＤ６０７に近づくなど、上端面５１１ａと導光板ＬＥＤ６０７との離間距離が変化する）を抑えることができるので、第１導光板５１１の熱膨張に対し好適に対応できる。また、第１導光板５１１の熱膨張により上端面５１１ａが導光板ＬＥＤ６０７に近づくことが規制されるため、導光板ＬＥＤ６０７が第１導光板５１１の上端面５１１ａに接触して破損することを防止できる。
【０１５６】
尚、前記第１位置決め用ボスと前記第１挿入部との間の隙間（例えば、隙間Ｓ１）は、前記第２位置決め用ボスと前記第２挿入部との間の隙間（例えば、隙間Ｓ２）よりも小さいものであればよく、前記第１位置決め用ボスと前記第１挿入部との間に隙間がないものを含む。
【０１５７】
また、第１導光板５１１を取付位置に保持するための保持体としての前保持部材５０３，後保持部材５０５と、を備え、前保持部材５０３，後保持部材５０５は、第１導光板５１１を一面（前面）側と他面（背面）側とから挟み込むように取付位置に保持可能であり、第１導光板５１１を前保持部材５０３，後保持部材５０５により保持した状態において、第１導光板５１１と前保持部材５０３，後保持部材５０５との間に隙間Ｓ２０が設けられる。
【０１５８】
このようにすることで、第１導光板５１１の熱膨張に対し好適に対応できる。詳しくは、前保持部材５０３，後保持部材５０５は、第１導光板５１１の周縁部を前面側と背面側とから挟み込むように保持する構造であるため、設計上、第１導光板５１１との間に隙間Ｓ２０（クリアランス）を設けることで、熱膨張に対し逃げがなくなって反りが生じてしまうことを好適に回避することができる。
【０１５９】
尚、本実施例では、第１導光板５１１の上端面５１１ａに沿って移動可能な導光板ＬＥＤ６０７のみの光を入射させる形態を例示したが、導光板ＬＥＤ６０７とは別個に第１導光板５１１の内部に光を入射させる発光手段が固定的に設けられていてもよい。
【０１６０】
例えば、図２１及び図２２に示すように、第１導光板装置５００’は、前保持部材５０３の左の側辺部５０３Ｌに第１導光板５１１の左端面５１１ｃに向けて光を照射する導光板ＬＥＤ５１７を複数有するＬＥＤ基板５１８が取付けられていてもよい（変形例）。
【０１６１】
詳しくは、本変形例におけるＬＥＤ基板５１８は、ネジＮ５により前保持部材５０３の左の側辺部５０３Ｌに固定されている。左の側辺部５０３Ｌの内側辺には、内壁部５４８が背面側に向けて突出するように立設されている。これら内壁部５４８の後端縁部には、所定間隔ごとに凹部５４９Ｂが形成されており、これにより内壁部５４８の後端縁部は、凹部５４９Ｂと凸部５４９Ａとからなる凹凸部５４９として形成されている。凹凸部５４９は、後述するように第１導光板５１１が後保持部材５０５により取付位置に保持された状態において、第１導光板５１１の前面における左側部に対向するように設けられている。
【０１６２】
第１導光板５１１の左端面５１１ｃと導光板ＬＥＤ５１７との間には、導光板ＬＥＤ５１７から入射された光を第１導光板５１１の左端面５１１ｃに向けて集光する第１集光レンズ５１９が配設されている。第１集光レンズ５１９の前面には、複数の集光レンズ位置決め用ボス５９３Ｆがそれぞれ前方に向けて突出するように形成され、集光レンズ位置決め用ボス５９３ＦはＬＥＤ基板５１８に形成された位置決め孔５９５Ａに挿入される。
【０１６３】
図２２に示すように、第１導光板５１１の背面における周縁近傍位置には、第１導光板５１１の製造時において、成型品である第１導光板５１１を図示しないエジャクタピン（押出ピンともいう）により金型から押出して取出す際に形成される複数のエジェクタピン跡６５０が形成されている。エジェクタピン跡６５０は、第１導光板５１１を金型から取出す際にエジャクタピンにより押圧されることにより形成される凸部（例えば、突出寸法約０．１ｍｍ程度）であり、注視しないと視認が困難な程度のものである。特に第１導光板５１１の周縁における各孔部の近傍には、取出し時の破損を防止するために２箇所ずつ形成されている。
【０１６４】
図２２（Ａ）に示すように、第１導光板５１１を前保持部材５０３と後保持部材５０５とで挟持した状態において、凹凸部５４９は、第１導光板５１１の背面に形成されたエジェクタピン跡６５０と対向しない位置に配置されている。詳しくは、第１導光板５１１が前保持部材５０３と後保持部材５０５とにより保持された状態において、第１導光板５１１の左側辺に形成された各エジェクタピン跡６５０は、凹凸部５４９よりも内側、つまり、周縁から離れた位置に形成されているため、エジェクタピン跡６５０が凸部５４９Ａと接触することにより第１導光板５１１の表面に傷が付くことが抑制されている。
【０１６５】
以上のように、第１導光板５１１を取付位置に保持するための保持体としての前保持部材５０３，後保持部材５０５を備え、保持体は、第１導光板５１１を一面（前面）側と他面（背面）側とから挟み込むように取付位置に保持可能であり、第１導光板５１１を保持した状態において該第１導光板５１１と対向する位置に凹凸部５４９が設けられ、凹凸部５４９は、第１導光板５１１を前保持部材５０３，後保持部材５０５により保持した状態において、第１導光板５１１に形成されたエジェクタピン跡６５０と対向しない位置に配置されている。
【０１６６】
このように、前保持部材５０３，後保持部材５０５は、第１導光板５１１の周縁部を前面側と背面側とから挟み込むように保持する構造であるが、凹凸部５４９を設けることで、例えば、振動などにより第１導光板５１１が前方側へ移動したときに、第１導光板５１１との接触面積を極力小さくする（部分的に接触させる）ことができる。また、第１導光板５１１の前面に形成されたエジェクタピン跡６５０（凸部）は凹凸部５４９と対向しないことで、熱膨張により第１導光板５１１が伸び縮みしてエジェクタピン跡６５０が凹凸部５４９に接触することを回避できるため、第１導光板５１１の熱膨張に対し好適に対応できる。
【０１６７】
また、導光板ＬＥＤ５１７から入射された光を第１導光板５１１に向けて出射する導光部材としての第１集光レンズ５１９と、第１集光レンズ５１９が取付けられる被取付部（例えば、ＬＥＤ基板５１８の背面）と、を備え、第１集光レンズ５１９には、被取付部に取付けられた状態において該被取付部に設けられた挿入部としての位置決め孔５９５Ａに挿入可能な集光レンズ位置決め用ボス５９３Ｆが突出して設けられている。
【０１６８】
このようにすることで、集光レンズ位置決め用ボス５９３Ｆを位置決め孔５９５Ａに挿入することで第１集光レンズ５１９の取付位置が決定されるため、第１集光レンズ５１９を好適に取付けることができる。
【０１６９】
また、第１集光レンズ５１９の集光レンズ位置決め用ボス５９３Ｆは、ＬＥＤ基板５１８に設けられた位置決め孔５９５Ａに挿入されることで、導光板ＬＥＤ５１７に対し正確に位置決めできるため、導光板ＬＥＤ５１７からの光が好適に入射されるようにすることができる。
【０１７０】
尚、本変形例では、導光板ＬＥＤ５１７が第１集光レンズ５１９の左側方において固定的に配置される形態を例示したが、導光板ＬＥＤ５１７は第１集光レンズ５１９に対して相対移動可能となっていてもよい。また、第１導光板５１１の内部に光を入射させる方向は、第１導光板５１１の下端面や右端面等から光を入射させてもよい。
【０１７１】
以上、本発明の実施例を図面により説明してきたが、具体的な構成はこれら実施例に限られるものではなく、本発明の要旨を逸脱しない範囲における変更や追加があっても本発明に含まれる。
【０１７２】
例えば、前記実施例では、第１導光板装置５００により第１導光板５１１の表示部に表示可能とする表示情報としては、画像（絵柄）が例示されているが、これら以外にも、文字、記号、図柄、あるいは模様等の装飾も含む他の表示情報を表示可能としてもよい。また、第１導光板５１１は、透光性を有していれば必ずしも透明でなくてもよく、例えば着色されていてもよいし、半透明とされていてもよい。
【０１７３】
また、前記実施例では、導光板ＬＥＤ６０７が取付けられる取付部材６０２は、ベース部材６０１と駆動機構６０３とにより移動可能に設けられている形態を例示したが、本発明はこれに限定されるものではなく、導光板ＬＥＤ６０７が第１導光板５１１の上端面５１１ａに対向する位置に移動可能であれば、例えば、第１導光板５１１の上端面５１１ａに近接及び離間する可動体（例えば、上部可動体４０２Ｌ，４０２Ｒ及び下部可動体４０３Ｌ，４０３Ｒといった演出用可動体等を含む）に導光板ＬＥＤ６０７が取付けられていてもよい。この場合でも、取付部材６０２は、遊技者から視認困難となるように可動体の背面側に設けられることが好ましい。
【０１７４】
また、前記実施例では、導光板ＬＥＤ６０７が取付けられる取付部材６０２は、導光板ＬＥＤ６０７が第１導光板５１１の上端面５１１ａに沿って移動する形態を例示したが、本発明はこれに限定されるものではなく、第１導光板５１１の左右側端面や下端面等に沿って移動するように設けられていてもよい。
【０１７５】
また、前記実施例では、ベース部材６０１と駆動機構６０３とにより移動可能に設けられている形態を例示したが、本発明はこれに限定されるものではなく、導光板ＬＥＤ６０７が第１導光板５１１の上端面５１１ａに対向する位置に移動可能であれば、例えば、第１導光板５１１の上端面５１１ａに近接及び離間する可動体（例えば、上部可動体４０２Ｌ，４０２Ｒ及び下部可動体４０３Ｌ，４０３Ｒといった演出用可動体等を含む）に取付けられていてもよい。この場合でも、取付部材６０２は、遊技者から視認困難となるように可動体の背面側に設けられることが好ましい。
【０１７６】
また、第１導光板装置５００は、第１導光板５１１が１つ設けられている形態を例示したが、本発明はこれに限定されるものではなく、例えば、導光板を前後に２つ以上重畳するように設け、各導光板ＬＥＤを各導光板に対して光を入射可能に設けてもよい。このような具体例として、図２３に示す本発明の変形例２としての導光板装置について説明する。図２３は、本発明の変形例２としての導光板装置を示す図であって、（Ａ）は前側の導光板を示す正面図、（Ｂ）は後側の導光板を示す正面図、（Ｃ）（Ｄ）は導光板が前後に重畳して配置された状態を示す説明図である。
【０１７７】
図２３（Ａ）に示すように、前側の導光板５７０Ａには、上端面に光を照射可能に取付部材６１１Ａに取付けられた導光板ＬＥＤ６０７Ａが左右方向に移動可能に設けられているとともに、導光板ＬＥＤ６０７Ａからの光を前方に反射することにより、数字（例えば、１０，２０，３０，４０，５０，６０，７０，８０，９０など）の上半部を表示可能な反射部７０１Ａが複数設けられている。また、図２３（Ｂ）に示すように、後側の導光板５７０Ｂには、右側端面に光を照射可能に取付部材６０２Ｄに取付けられた導光板ＬＥＤ６０７Ｂが上下方向に移動可能に設けられているとともに、導光板ＬＥＤ６０７Ｂからの光を前方に反射することにより、数字（例えば、１０，２０，３０，４０，５０，６０，７０，８０，９０など）の下半部を表示可能な反射部７０１Ｂが複数設けられている。
【０１７８】
導光板ＬＥＤ６０７Ａ，６０７Ｂをそれぞれ発光させると、該導光板ＬＥＤ６０７Ａ，６０７Ｂの位置に対応する行または列に配置された３つの反射部７０１Ａ，７０１Ｂが光を前方に反射することにより各数字の上半部または下半部が表示される。よって、このように構成された導光板５７０Ａ，５７０Ｂを、前後の各反射部７０１Ａ，７０１Ｂが対応して配置されることにより各数字（画像）が表示可能となるように前後に離間して配置することで、導光板ＬＥＤ６０７Ａ，６０７Ｂからの光が重畳する領域においては、反射部７０１Ａ，７０１Ｂにて光が反射されることで数字が表示される。
【０１７９】
例えば、前述した大当り予告演出等の所定タイミングにおいて、前後の導光板ＬＥＤ６０７Ａ，６０７Ｂを各々往復移動させた後（図２３（Ｃ）参照）、導光板ＬＥＤ６０７Ａ，６０７Ｂを所定の数字（例えば、「７０」など）に対応する位置で停止させて導光板ＬＥＤ６０７Ａ，６０７Ｂを発光させることにより、「７０」の数字が表示され、当該変動表示における大当り期待度が７０％であることを示唆すること等が可能となる。尚、図２３（Ｃ）のように導光板ＬＥＤ６０７Ａ，６０７Ｂを各々往復移動させている間は、導光板ＬＥＤ６０７Ａ，６０７Ｂからの光が重畳する領域において所定の数字の全体が一時的に表示されたり、数字の一部が部分的に表示されるだけで、導光板ＬＥＤ６０７Ａ，６０７Ｂが停止するまで所定の数字が表示されることを予測しにくいため、遊技者に意外性を与えることができる。
【０１８０】
これによれば、前後の導光板５７０Ａ，５７０Ｂの表示部で異なる画像等を表示して一の画像を形成するなどの演出表示を行うことができるため、演出効果を高めることができる。尚、複数の導光板を用いる場合、各導光板に導光板ＬＥＤが取付けられる一の取付部材を配設してもよいし、導光板ＬＥＤが取付けられる一の取付部材６０２を各導光板間で移動させてもよい。
【０１８１】
また、前記実施例では、第１導光板５１１は、立体像Ｚ１，Ｚ２，Ｚ３を立体演出表示可能である形態を例示したが、本発明はこれに限定されるものではなく、例えば、平面的に画像などを表示するようになっていてもよい。
【０１８２】
また、前記実施例では、取付部材６０２を移動させることで表示される立体像Ｚ１，Ｚ２，Ｚ３の向きや形状を変化させる演出表示を行う形態を例示したが、本発明はこれに限定されるものではなく、例えば、第１導光板５１１の表示部（反射部）を複数領域（例えば、「左」、「中」、「右」の３つの領域等）に区分けし、取付部材６０２を上端面５１１ａに沿って移動させることで演出表示部における各発光領域を「左」→「中」→「右」等に変化させる演出表示を行ってもよい。さらに、演出表示部の「左」、「中」、「右」領域を個別に発光させる演出表示を行ってもよい。
【０１８３】
また、前記実施例では、第１導光板装置５００による演出表示を単独で行う場合を例に挙げ説明したが、本発明はこれに限定されるものではなく、例えば、第１導光板装置５００による演出表示と上部可動体４０２Ｌ，４０２Ｒや下部可動体４０３Ｌ，４０３Ｒによる可動体演出とを組合せた複合演出や、第１導光板装置５００による演出表示と演出表示装置５による演出表示とを組合せた複合演出や、第１導光板装置５００による演出表示と、上部可動体４０２Ｌ，４０２Ｒや下部可動体４０３Ｌ，４０３Ｒによる可動体演出と、演出表示装置５による演出表示とを組合せた複合演出等を行ってもよい。つまり、演出制御用ＣＰＵ１２０は、これら各装置による演出を同時に行う複合演出を実行可能である。
【０１８４】
また、例えば、第１導光板装置５００による演出表示と上部可動体４０２Ｌ，４０２Ｒや下部可動体４０３Ｌ，４０３Ｒによる可動体演出とによる複合演出を実行する場合、例えば、第１導光板５１１において、上部可動体４０２Ｌ，４０２Ｒや下部可動体４０３Ｌ，４０３Ｒ、あるいは演出表示装置５にて表示した演出表示部に対応する位置に画像を表示させることが好ましい。さらに、立体像を表示可能であれば、取付部材６０２を移動させて立体像の向きや形状を変化させれば、第１導光板５１１の背面側にある上部可動体４０２Ｌ，４０２Ｒや下部可動体４０３Ｌ，４０３Ｒが動いているように見せること等が可能となる。
【０１８５】
また、前記実施例では、第１導光板装置５００による演出表示を大当り予告演出の所定タイミングにて実行する形態を例示したが、本発明はこれに限定されるものではなく、大当り予告演出以外の予告演出にて実行可能としてもよいし、スーパーリーチに発展する可能性があることを示す予告演出や、確変大当りに昇格する可能性があることを示す昇格演出や、大当り遊技中実行する大当り演出等、種々の演出においても適用可能である。
【０１８６】
また、前記実施例では、第１導光板５１１を一面側と他面側とから挟持するように保持する保持体として、それぞれ別個の前保持部材５０３、後保持部材５０５からなる形態を例示したが、本発明はこれに限定されるものではなく、例えば、前保持部材５０３と、後保持部材５０５とが予め一体に形成された断面視略コ字形の保持体により第１導光板５１１を保持してもよい。
【０１８７】
また、前記実施例では、保持体としての前保持部材５０３、後保持部材５０５は、第１導光板５１１の周縁の一部（例えば、上辺部及び左右端辺部）を前後から挟持するように保持する構造である形態を例示したが、本発明はこれに限定されるものではなく、第１導光板５１１の全周縁を囲むように保持するようにしてもよい。
【０１８８】
また、前記実施例では、保持体としての前保持部材５０３、後保持部材５０５に形成された複数の位置決め用ボスを第１導光板５１１に形成された複数の孔部に挿入することで、保持体に対する導光板の位置決めをする形態を例示したが、本発明はこれに限定されるものではなく、これら位置決め用ボスと孔部とによる位置決めを行うことなく、導光板を保持体により保持するようにしてもよい。
【０１８９】
また、前記実施例では、第１導光板５１１を取付位置に位置決めするための複数の位置決め用ボスは、前保持部材５０３、後保持部材５０５からなる保持体に形成されている形態を例示したが、本発明はこれに限定されるものではなく、導光板の被取付部となる部材や構造物（例えば、遊技盤２や演出用の可動体など）の一部を保持体として、該保持体に位置決め用ボスを形成してもよい。
【０１９０】
また、前記実施例では、第１導光板５１１には第１挿入部として一の第１孔部５１１Ａが形成された形態を例示したが、本発明はこれに限定されるものではなく、第１導光板５１１に複数の第１挿入部を形成してもよい。
【０１９１】
また、上記各位置決め用ボスの突出長さ、直径、外形状、形成位置、形成数及びこれらに対応する各孔部の大きさ、外形状、形成位置、形成数については、上記のように例示したものに限定されるものではなく、種々に変更可能である。
【０１９２】
また、前記実施例では、第１導光板５１１に第３位置決め用ボスが挿入可能な第３挿入部としての第３孔部５１１Ｃが形成された形態を例示したが、本発明はこれに限定されるものではなく、第１導光板５１１に第３位置決め用ボスが挿入可能な第３挿入部が形成されていなくてもよい。
【０１９３】
また、前記実施例では、導光板ＬＥＤ６０７はフルカラーＬＥＤであり、導光板ＬＥＤ６０７の発光色を変化させることで発光演出における演出態様（発光色）を種々に変更可能な形態を例示したが、本発明はこれに限定されるものではなく、例えば、これら導光板ＬＥＤ６０７を１色でのみ発光可能な単色ＬＥＤ（例えば、白色ＬＥＤ）を適用し、単色ＬＥＤの光を所定色に着色した集光レンズを介して第１導光板５１１に入射させることで、集光レンズに着色された色にて発光演出を実行できるようにしてもよく、このようにした場合、高価なフルカラーＬＥＤを用いることなく、着色された集光レンズを用いることで種々の演出態様（発光色）で発光演出を行うことができる。尚、このような場合であっても、リブ６１２Ｌ，６１２Ｒが設けられていることで、導光板ＬＥＤ６０７が集光レンズに接触して破損することを防止できる。
【０１９４】
また、前記実施例では、第１導光板装置５００は、遊技盤２に形成された開口２ｃを被覆するように設けられている形態を例示したが、本発明はこれに限定されるものではなく、第１導光板装置５００を透過性を有する盤面板からなる遊技盤２の背面側に設け、遊技者側から透明な盤面板を透して導光板による演出表示を視認可能としてもよい。また、透過性を有する盤面板を反射部を有する導光板とし、該盤面板を利用して演出表示を実行可能としてもよいし、盤面板とその背面に設けた導光板装置双方による演出表示を実行可能としてもよい。さらに、導光板装置は、遊技盤２の前面側にセンター飾り枠５１などに任意の位置に取付けられていてもよい。
【０１９５】
また、前記実施例では、遊技機の一例としてパチンコ遊技機１を例示しているが、本発明はこれに限定されるものではなく、例えば、予め定められた球数の遊技球が遊技機内部に循環可能に内封され、遊技者による貸出要求に応じて貸し出された貸出球や、入賞に応じて付与された賞球数が加算される一方、遊技に使用された遊技球数が減算されて記憶される、所謂、封入式遊技機にも本発明を適用可能である。尚、これら封入式遊技機においては遊技球ではなく得点やポイントが遊技者に付与されるので、これら付与される得点やポイントが遊技価値に該当する。
【０１９６】
また、前記実施例では、遊技機の一例としてパチンコ遊技機が適用されていたが、例えば遊技用価値を用いて１ゲームに対して所定数の賭数を設定することによりゲームが開始可能となるとともに、各々が識別可能な複数種類の図柄を変動表示可能な変動表示装置に変動表示結果が導出されることにより１ゲームが終了し、該変動表示装置に導出された変動表示結果に応じて入賞が発生可能とされたスロットマシンにも適用可能である。
【０１９７】
また、前記実施例では、遊技媒体の一例として、球状の遊技球（パチンコ球）が適用されていたが、球状の遊技媒体に限定されるものではなく、例えば、メダル等の非球状の遊技媒体であってもよい。
【符号の説明】
【０１９８】
１        パチンコ遊技機
５００，５００'    第１導光板装置
５１１    第１導光板
５１１ａ  上端面
６００    発光装置
６０２    取付部材
６０３    駆動機構
６０７    導光板ＬＥＤ
６１１    膨出部
６１２Ｌ，６１２Ｒ    リブ
【図１】
2018201827.tif 000003
【図２】
2018201827.tif 000004
【図３】
2018201827.tif 000005
【図４】
2018201827.tif 000006
【図５】
2018201827.tif 000007
【図６】
2018201827.tif 000008
【図７】
2018201827.tif 000009
【図８】
2018201827.tif 000010
【図９】
2018201827.tif 000011
【図１０】
2018201827.tif 000012
【図１１】
2018201827.tif 000013
【図１２】
2018201827.tif 000014
【図１３】
2018201827.tif 000015
【図１４】
2018201827.tif 000016
【図１５】
2018201827.tif 000017
【図１６】
2018201827.tif 000018
【図１７】
2018201827.tif 000019
【図１８】
2018201827.tif 000020
【図１９】
2018201827.tif 000021
【図２０】
2018201827.tif 000022
【図２１】
2018201827.tif 000023
【図２２】
2018201827.tif 000024
【図２３】
2018201827.tif 000025